(57)【要約】【課題】振動等による不正行為に関する検知結果について効果的な報知を行うことができる遊技機を提供する。【解決手段】主制御用ＣＰＵは、入球装置へ入球された遊技球が残存しているか否かを判定するとともに、特定の振動が検知されたか否かを判定する。統括制御用ＣＰＵは、入球装置へ入球された遊技球が残存していることを条件として、入球装置へ入球された遊技球が残存していることに関する第１報知を行わせる一方で、入球装置へ入球された遊技球が残存しており、かつ、特定の振動が検知された場合には、特定の振動が検知されたことに関する第２報知を行わせる制御を行う。【選択図】図１１
2014068729.tif 000002
【特許請求の範囲】
【請求項１】
遊技球が転動可能な遊技領域を有する遊技盤と、前記遊技盤の前記遊技領域において遊技球の入球又は通過を可能とする入球装置とを備え、遊技に関する制御を行う遊技機において、
前記入球装置に遊技球が入球又は通過したことを検知する入球検知手段と、
前記入球検知手段の検知結果に基づいて前記入球装置へ入球又は通過された遊技球が残存しているか否かを判定する第１判定手段と、
特定の電波、磁気、及び振動の少なくとも何れかを検知する特定検知手段と、
前記特定検知手段の検知結果に基づいて特定の電波、磁気、及び振動の少なくとも何れかが検知されたか否かを判定する第２判定手段と、
前記第１判定手段の判定結果が肯定であることを条件として、所定の報知を行う報知手段に対して前記第１判定手段の判定結果に関する第１報知を行わせる制御を行い、前記第１判定手段の判定結果が肯定であり、かつ、前記第２判定手段の判定結果が肯定である場合に、前記報知手段に対して前記第２判定手段の判定結果に関する第２報知を行わせる制御を行う報知制御手段とを備えた遊技機。
【請求項２】
前記報知制御手段は、前記報知手段に対して、前記第１報知を行わせた場合において、前記第２判定手段の判定結果が否定であるときには、前記第１判定手段の判定結果が否定となるまで前記第１報知を行わせる制御を行う一方で、前記第１判定手段の判定結果が否定となる前に前記第２判定手段の判定結果が肯定となったときには、前記第２報知を行わせる制御を行う請求項１に記載の遊技機。
【請求項３】
前記報知制御手段は、前記報知手段に対して、前記第２報知を行わせた場合には、前記第１判定手段の判定結果に拘わらず、予め定められた時間が経過するまで前記第２報知の実行を継続させる制御を行う請求項１又は請求項２に記載の遊技機。
【請求項４】
前記第１判定手段の判定結果が肯定となったとき、前記第２判定手段の判定結果が肯定となったときには、肯定となった判定回数を計数する判定回数計数手段と、
前記判定回数計数手段によって計数された判定回数を記憶する判定回数記憶手段と、
前記判定回数記憶手段に判定回数が記憶されているか否かを所定期間毎に判定する判定回数判定手段と、
前記判定回数判定手段によって前記判定回数記憶手段に判定回数が記憶されていると判定された場合に、前記第１判定手段の判定結果と前記第２判定手段の判定結果との少なくとも何れかに関する出力情報を、前記報知手段に対して出力する出力手段と、
前記判定回数記憶手段に記憶されている判定回数を、前記出力手段による出力情報の出力回数分だけ減算する判定回数更新手段と、を備えた請求項１〜請求項３のうち何れか一項に記載の遊技機。
【請求項５】
予め定められた規定周期で基本パルスを生成する基本パルス生成手段を備え、
前記判定回数判定手段は、前記基本パルス生成手段によって前記基本パルスが生成されたことを契機として、前記判定回数記憶手段に判定回数が記憶されているか否かを判定する請求項４に記載の遊技機。
【請求項６】
前記判定回数計数手段は、前記第１判定手段の判定結果が肯定となったとき、前記第２判定手段の判定結果が肯定となったときには、それぞれで共通して判定回数を１回として計数し、
前記出力情報は、前記第１判定手段の判定結果が肯定となったこと、又は前記第２判定手段の判定結果が肯定となったことを示す情報である請求項４又は請求項５に記載の遊技機。
【発明の詳細な説明】
【技術分野】
【０００１】
本発明は、遊技球が転動可能な遊技盤の遊技領域において遊技球の入球又は通過を可能とする入球装置を備えた遊技機に関する。
【背景技術】
【０００２】
従来、遊技機の一種であるパチンコ遊技機では、始動入賞口への遊技球の入球を契機に、図柄を変動させて行う図柄変動ゲームが行われ、その結果、大当りとなった場合には、大入賞口が開放可能となり、多数の賞球が払い出される大当り遊技が付与される。
【０００３】
このような遊技機の中には、例えば、特許文献１に示すように、不正行為による振動を検知できるものが開示されており、特にこの遊技機では、不正行為による振動の検知精度を簡単に変更できる。また、不正行為としては、振動のみならず、電波、磁気等により行われるものもある。
【先行技術文献】
【特許文献】
【０００４】
【特許文献１】特開２００９−１２５０９１号公報
【発明の概要】
【発明が解決しようとする課題】
【０００５】
しかしながら、このような遊技機において、例えば、常時、振動等を検知し、検知結果を報知可能とするように制御すると、遊技を行っていない遊技場への来場者が遊技機に衝突することによる振動等をも検知してしまい、その旨の報知が行われてしまうおそれがあるなど、不正行為に関する検知結果について効果的な報知を行うことが望まれている。
【０００６】
この発明は、このような従来の技術に存在する問題点に着目してなされたものであり、その目的は、振動等による不正行為に関する検知結果について効果的な報知を行うことができる遊技機を提供することにある。
【課題を解決するための手段】
【０００７】
上記問題点を解決するために、請求項１に記載の発明は、遊技球が転動可能な遊技領域を有する遊技盤と、前記遊技盤の前記遊技領域において遊技球の入球又は通過を可能とする入球装置とを備え、遊技に関する制御を行う遊技機において、前記入球装置に遊技球が入球又は通過したことを検知する入球検知手段と、前記入球検知手段の検知結果に基づいて前記入球装置へ入球又は通過された遊技球が残存しているか否かを判定する第１判定手段と、特定の電波、磁気、及び振動の少なくとも何れかを検知する特定検知手段と、前記特定検知手段の検知結果に基づいて特定の電波、磁気、及び振動の少なくとも何れかが検知されたか否かを判定する第２判定手段と、前記第１判定手段の判定結果が肯定であることを条件として、所定の報知を行う報知手段に対して前記第１判定手段の判定結果に関する第１報知を行わせる制御を行い、前記第１判定手段の判定結果が肯定であり、かつ、前記第２判定手段の判定結果が肯定である場合に、前記報知手段に対して前記第２判定手段の判定結果に関する第２報知を行わせる制御を行う報知制御手段とを備えたことを要旨とする。
【０００８】
請求項２に記載の発明は、請求項１に記載の遊技機において、前記報知制御手段は、前記報知手段に対して、前記第１報知を行わせた場合において、前記第２判定手段の判定結果が否定であるときには、前記第１判定手段の判定結果が否定となるまで前記第１報知を行わせる制御を行う一方で、前記第１判定手段の判定結果が否定となる前に前記第２判定手段の判定結果が肯定となったときには、前記第２報知を行わせる制御を行うことを要旨とする。
【０００９】
請求項３に記載の発明は、請求項１又は請求項２に記載の遊技機において、前記報知制御手段は、前記報知手段に対して、前記第２報知を行わせた場合には、前記第１判定手段の判定結果に拘わらず、予め定められた時間が経過するまで前記第２報知の実行を継続させる制御を行うことを要旨とする。
【００１０】
請求項４に記載の発明は、請求項１〜請求項３のうち何れか一項に記載の遊技機において、前記第１判定手段の判定結果が肯定となったとき、前記第２判定手段の判定結果が肯定となったときには、肯定となった判定回数を計数する判定回数計数手段と、前記判定回数計数手段によって計数された判定回数を記憶する判定回数記憶手段と、前記判定回数記憶手段に判定回数が記憶されているか否かを所定期間毎に判定する判定回数判定手段と、前記判定回数判定手段によって前記判定回数記憶手段に判定回数が記憶されていると判定された場合に、前記第１判定手段の判定結果と前記第２判定手段の判定結果との少なくとも何れかに関する出力情報を、前記報知手段に対して出力する出力手段と、前記判定回数記憶手段に記憶されている判定回数を、前記出力手段による出力情報の出力回数分だけ減算する判定回数更新手段と、を備えたことを要旨とする。
【００１１】
請求項５に記載の発明は、請求項４に記載の遊技機において、予め定められた規定周期で基本パルスを生成する基本パルス生成手段を備え、前記判定回数判定手段は、前記基本パルス生成手段によって前記基本パルスが生成されたことを契機として、前記判定回数記憶手段に判定回数が記憶されているか否かを判定することを要旨とする。
【００１２】
請求項６に記載の発明は、請求項４又は請求項５に記載の遊技機において、前記判定回数計数手段は、前記第１判定手段の判定結果が肯定となったとき、前記第２判定手段の判定結果が肯定となったときには、それぞれで共通して判定回数を１回として計数し、前記出力情報は、前記第１判定手段の判定結果が肯定となったこと、又は前記第２判定手段の判定結果が肯定となったことを示す情報であることを要旨とする。
【発明の効果】
【００１３】
本発明によれば、振動等による不正行為に関する検知結果について効果的な報知を行うことができる。
【図面の簡単な説明】
【００１４】
【図１】パチンコ遊技機の機表側を示す正面図。
【図２】遊技盤の表側を示す正面図。
【図３】（ａ）及び（ｂ）は、特定領域と一般領域とを示す断面図。
【図４】パチンコ遊技機の電気的構成を示すブロック図。
【図５】パチンコ遊技機の電気的構成の要部を示すブロック図。
【図６】エラーに関連するエラー関連制御の内容を示す説明図。
【図７】セキュリティ情報信号の出力タイミングを示すタイミングチャート。
【図８】エラー検知時処理を示すフローチャート。
【図９】振動検知エラー制御処理を示すフローチャート。
【図１０】セキュリティ情報信号出力処理を示すフローチャート。
【図１１】（ａ）〜（ｄ）は、各種報知の報知態様を示すタイミングチャート。
【発明を実施するための形態】
【００１５】
［第１実施形態］
以下、本発明をパチンコ遊技機に具体化した第１実施形態について図１〜図１１を参照して説明する。
【００１６】
図１には、遊技に関する制御を行うパチンコ遊技機１０と、該パチンコ遊技機１０が遊技場の遊技機設置設備（遊技島）に設置された際に並設される遊技媒体貸出用ユニットとしてのカードユニット装置１１とが略示されている。カードユニット装置１１には、遊技者に貸し出される貸出用遊技媒体としての遊技球（貸し球）と交換可能な交換媒体としてのプリペイドカードを投入するための投入口１１ａが設けられている。カードユニット装置１１は、投入されたプリペイドカードの価値を読み書き可能な構成となっている。
【００１７】
パチンコ遊技機１０の機体の外郭をなす外枠１２の開口前面側には、各種の遊技用構成部材をセットする縦長方形の図示しない中枠が開閉及び着脱自在に組み付けられている。中枠の前面側には、中央部に窓口１４を有するとともに、該窓口１４の下方にパチンコ遊技機１０の遊技媒体となる遊技球を貯留可能な上皿１５を一体成形した前枠１６が開閉及び着脱自在に組み付けられている。前枠１６の裏面側には、機内部に配置された遊技盤ＹＢを保護し、かつ窓口１４を覆う大きさのガラスを支持する図示しないガラス支持枠が着脱及び傾動開放可能に組み付けられている。また、前枠１６には、窓口１４のほぼ全周を囲むように、図示しない発光体（ランプ、ＬＥＤなど）の発光（点灯や点滅）により発光演出を行う電飾表示部を構成する枠用ランプ部１７が配置されている。報知手段としての枠用ランプ部１７は、前枠１６の前面に装着される複数の発光体を、該各発光体の発する光を透過可能に成形したランプレンズ１７ａで覆って構成されている。
【００１８】
前枠１６には、窓口１４の左右上部に、各種音声を出力して音声演出を行うスピーカ２０が配置されている。報知手段としてのスピーカ２０は、前枠１６の裏面に装着されており、該前枠１６の前面であってスピーカ２０の装着部位に対応する部位には図示しない放音孔が複数形成されている。
【００１９】
中枠の前面側であって前枠１６の下部には、上皿１５から溢れ出て機内部に形成される溢れ球通路２２を流下した遊技球を貯留する下皿２３が装着されている。また、中枠の前面側であって下皿２３の右方には、遊技球を遊技盤ＹＢに発射させる際に遊技者によって回動操作される遊技球発射用の発射ハンドル２４が装着されている。
【００２０】
上皿１５には、その左方側に機内部から払出される遊技球の払出口１５ａが設けられているとともに、遊技者の保有する遊技球を貯留する凹状の図示しない貯留通路が連設されており、さらに右方側に貯留通路内の遊技球を機内部に取り込む図示しない上皿取込口が設けられている。上皿１５に貯留された遊技球は、貯留通路により上皿取込口へ案内されるとともに上皿取込口を介して１球ずつ機内に取り込まれ、機内に装備された発射ユニット８３（図４に示す）によって遊技盤ＹＢに向けて発射される。なお、遊技盤ＹＢに向けて発射される遊技球は、発射ハンドル２４の回動量に応じて発射の強弱が設定される。
【００２１】
上皿１５の上面１５ｄには、貸し球（遊技球）の貸し受けに関しての各種操作を行うための球貸し操作部２６が装備されている。球貸し操作部２６には、カードユニット装置１１にプリペイドカードを投入した状態で遊技者が遊技球の貸し受けを指示する球貸ボタンと、カードユニット装置１１に投入したプリペイドカードの返却を指示する返却ボタンとが設けられている。また、球貸し操作部２６は、カードユニット装置１１に投入したプリペイドカードの残金を表示するとともに、球貸しが可能な状態であるか否かを報知する。
【００２２】
上皿１５の前面１５ｅには、上皿球抜きボタン２７が設けられている。本実施形態のパチンコ遊技機１０では、上皿１５と下皿２３とが溢れ球通路２２とは別に設けた図示しない球抜き通路で接続されている。そして、上皿球抜きボタン２７が押下操作されると、上皿１５の貯留通路内の遊技球が前記球抜き通路を介して下皿２３に流下案内されるようになっている。
【００２３】
下皿２３には、溢れ球通路２２を流下した遊技球の出口２３ａが設けられているとともに、遊技球を貯留する凹状の貯留部２３ｂが遊技球の出口２３ａに連設されている。また、下皿２３には、貯留部２３ｂ内の遊技球を下皿２３から外部に排出するための図示しない切換機構が設置されている。切換機構は、下皿２３の下部に配置された下皿球抜きボタン２８と、貯留部２３ｂの底部の一部を貫通するように形成された図示しない球抜き孔と、該球抜き孔を開放及び閉鎖するための蓋体と、下皿球抜きボタン２８の操作状態に連動させて蓋体を開放状態又は閉鎖状態に作動させる作動部材とから構成されている。このような切換機構により下皿２３は、蓋体の閉鎖状態にあって球抜き孔が閉鎖されている場合に遊技球を貯留部２３ｂで貯留可能な貯留状態とされる一方で、下皿球抜きボタン２８が押下操作されて蓋体が開放状態に作動し、球抜き孔が開放されている場合に遊技球を外部に排出する貯留解除状態とされる。また、下皿２３には、前記球抜き通路を介して上皿１５から流下案内された遊技球を貯留部２３ｂに排出する図示しない球抜き口が設けられている。
【００２４】
次に、遊技盤ＹＢの構成について図２を参照して詳しく説明する。
図２に示すように、遊技盤ＹＢの前面には、発射ハンドル２４の操作によって発射された遊技球を誘導し、かつパチンコ遊技の主体となるほぼ円形の遊技領域Ｈ１を形成する誘導レール３０が円形渦巻き状に敷設されている。この誘導レール３０によって遊技盤ＹＢには、該遊技盤ＹＢの左下方から左上方に向かって延びる遊技球の誘導路３０ａが形成されるとともに、誘導レール３０の内側に遊技球が転動可能な遊技領域Ｈ１が形成される。誘導路３０ａの下方には、中枠に装着されるとともに、発射ユニット８３（図４に示す）の作動によって打球される遊技球を案内する図示しない発射レールが配置されている。また、遊技盤ＹＢの前面であって誘導レール３０の外側となる遊技領域Ｈ１外は、パチンコ遊技に直接関与しない非遊技領域Ｈ２とされている。
【００２５】
遊技盤ＹＢのほぼ中央には、液晶ディスプレイ型の画像表示部３３ａを有する演出表示装置３３が配設されている。報知手段としての演出表示装置３３には、複数の図柄列（本実施形態では３列）を変動表示させて行う図柄変動ゲーム（以下、「変動ゲーム」と示す）を含み、該変動ゲームに関連して実行される各種の表示演出が画像表示される。なお、演出表示装置３３の変動ゲームは、表示演出を多様化するための飾り図柄（演出図柄、以下、「飾図」と示す）を用いて行われる。
【００２６】
また、演出表示装置３３の右下には、７セグメント型の第１特別図柄表示装置３４ａが、第１特別図柄表示装置３４ａの右には、７セグメント型の第２特別図柄表示装置３４ｂが、それぞれ配設されている。第１特別図柄表示装置３４ａ又は第２特別図柄表示装置３４ｂでは、特別図柄（以下、「特図」と示す）を変動させて表示する変動ゲームが行われる。この特図は、大当りか否かの内部抽選（大当り抽選）の結果、小当りか否かの内部抽選（小当り抽選）の結果を示す報知用の図柄である。本実施形態において、変動ゲームは、各特別図柄表示装置３４ａ，３４ｂにおいて、特図の変動表示が開始されてから確定停止表示される迄を１回として実行される。以下、第１特別図柄表示装置３４ａで行われる変動ゲームを「第１変動ゲーム（第１図柄変動ゲーム）」と示すことがあり、第２特別図柄表示装置３４ｂで行われる変動ゲームを「第２変動ゲーム（第２図柄変動ゲーム）」と示すことがある。
【００２７】
本実施形態において各特別図柄表示装置３４ａ，３４ｂには、複数種類の特図の中から、大当り抽選の抽選結果又は小当り抽選の抽選結果に対応する１つの特図が選択され、その選択された特図が変動ゲームの終了によって個別に確定停止表示される。特図は、大当りを認識し得る図柄となる大当り図柄（大当り表示結果）と、小当りを認識し得る図柄となる小当り図柄（小当り表示結果）と、はずれを認識し得る図柄となるはずれ図柄（はずれ表示結果）とに分類される。また、大当り図柄が確定停止表示された場合、遊技者には、大当り遊技が付与される。また、小当り図柄が確定停止表示された場合、遊技者には、小当り遊技が付与される。
【００２８】
また、本実施形態において演出表示装置３３には、複数の図柄列毎に複数種類の数字が飾図として表示されるようになっている。そして、本実施形態において演出表示装置３３は、各特別図柄表示装置３４ａ，３４ｂに比較して大きい表示領域で構成されるとともに、飾図は特図に比較して遥かに大きく表示されるようになっている。このため、遊技者は、演出表示装置３３に確定停止表示された図柄から当り（大当り及び小当り）又ははずれを認識し得る。
【００２９】
そして、演出表示装置３３には、各特別図柄表示装置３４ａ，３４ｂの表示結果に応じた表示結果が表示される。具体的に言えば、第１特別図柄表示装置３４ａ又は第２特別図柄表示装置３４ｂに大当り図柄（大当り表示結果）が確定停止表示される場合には、演出表示装置３３にも大当り図柄（大当り表示結果）が確定停止表示される。本実施形態において、飾図による大当り図柄としては、全列の図柄が同一図柄となる図柄組み合わせである。
【００３０】
また、第１特別図柄表示装置３４ａ又は第２特別図柄表示装置３４ｂにはずれ図柄が確定停止表示される場合には、演出表示装置３３にもはずれ図柄（はずれ表示結果）が確定停止表示される。本実施形態において、飾図によるはずれ図柄としては、全列の図柄が異なる図柄となる図柄組み合わせ、又は１列の図柄が他の２列の図柄とは異なる図柄となる図柄組み合わせである。
【００３１】
また、第１特別図柄表示装置３４ａ又は第２特別図柄表示装置３４ｂに小当り図柄（小当り表示結果）が確定停止表示される場合、演出表示装置３３に小当り図柄が確定停止表示される。なお、本実施形態において、この小当り図柄は、大当り図柄とは異なる図柄であり、全列の図柄が異なる図柄となる図柄組み合わせの中でも、所定の図柄組み合わせが該当する。
【００３２】
また、演出表示装置３３では、遊技者側から見て左列→右列→中列の順に図柄の変動表示が停止するようになっており、特定の２列（本実施形態では左右の２列）に同一の図柄が一旦停止表示された場合、リーチ状態が形成される。ここで、一旦停止表示とは、画像表示部３３ａにおいてゆれ変動状態で表示されている状態であり、画像表示部３３ａにおいて図柄が確定停止している確定停止表示とは区別される。本実施形態では、複数の図柄列のうち左列が第１停止列、右列が第２停止列、中列が第３停止列となり、左列及び右列がリーチ状態を形成するリーチ形成列となる。
【００３３】
第２特別図柄表示装置３４ｂの右には、複数個（本実施形態では２個）の第１特図保留発光部を有する第１特別図柄保留表示装置３５ａが配設されている。第１特別図柄保留表示装置３５ａは、機内部で記憶した第１変動ゲームにおける特図用の始動保留球の記憶数を遊技者に報知する。なお、以下、第１変動ゲームにおける特図用の始動保留球の記憶数を「第１保留記憶数」と示す。第１保留記憶数は、遊技盤ＹＢに配設した始動手段（第１始動手段）としての第１始動入賞口３７に遊技球が入賞することで「１」加算される一方で、第１変動ゲームの開始により「１」減算される。したがって、変動ゲーム中に第１始動入賞口３７へ遊技球が入賞すると、第１保留記憶数は更に加算されるとともに、所定の上限数（第１上限数、本実施形態では「４」）まで累積される。
【００３４】
第１特別図柄保留表示装置３５ａの右には、複数個（本実施形態では２個）の第２特図保留発光部を有する第２特別図柄保留表示装置３５ｂが配設されている。第２特別図柄保留表示装置３５ｂは、機内部で記憶した第２変動ゲームにおける特図用の始動保留球の記憶数を遊技者に報知する。なお、以下、第２変動ゲームにおける特図用の始動保留球の記憶数を「第２保留記憶数」と示す。第２保留記憶数は、遊技盤ＹＢに配設した始動手段（第２始動手段）としての第２始動入賞口３８に遊技球が入賞することで「１」加算される一方で、第２変動ゲームの開始により「１」減算される。したがって、変動ゲーム中に第２始動入賞口３８へ遊技球が入賞すると、第２保留記憶数は更に加算されるとともに、所定の上限数（第２上限数、本実施形態では「４」）まで累積される。
【００３５】
また、第２特別図柄保留表示装置３５ｂの右には、複数個（本実施形態では２個）の普図発光部を有する普通図柄表示装置３６が配設されている。普通図柄表示装置３６では、複数種類の普通図柄を変動させて表示する普通図柄変動ゲームが行われる。普通図柄は、普通当りか否かの内部抽選（普通当り抽選）の結果を示す報知用の図柄である。なお、以下、普通図柄を「普図」と示し、普通図柄ゲームを「普図ゲーム」と示す。また、この普図ゲームにおいても変動ゲームと同じように、遊技盤ＹＢに配設した作動ゲート３９に遊技球が通過（入球）することで普図用の始動保留球（普図始動保留球）が記憶される。この普図始動保留球の記憶数（普図保留記憶数）は、作動ゲート３９への遊技球の通過により、所定の上限数（本実施形態では「４」）を上限として「１」加算される一方で、普図ゲームの開始により「１」減算される。
【００３６】
また、本実施形態において、第１変動ゲームと第２変動ゲームとが同時に実行されないように構成されており、変動ゲーム（第１変動ゲーム又は第２変動ゲーム）が終了した場合に第１保留記憶数と第２保留記憶数とが共に「１」以上であるときには、第２保留記憶数に基づく第２変動ゲームが優先して実行される。また、本実施形態において、変動ゲームと普図ゲームとは同時に実行可能である。
【００３７】
演出表示装置３３の下方には、遊技球の第１入賞口３７ａを有する第１始動入賞口３７が配設されている。第１始動入賞口３７の奥方には入賞した遊技球を検知する第１始動口スイッチＳＷ１（図４及び図５に示す）が配設されている。第１始動入賞口３７は、入賞した遊技球を第１始動口スイッチＳＷ１で検知することにより、第１変動ゲームの始動条件と予め定めた個数の賞球としての遊技球の払出条件を付与し得る。なお、本実施形態において、符号Ｙに示すように遊技球が遊技盤ＹＢの右側から転動したときには、符号Ｘに示すように遊技盤ＹＢの左側から転動したときよりも、第１始動入賞口３７に入賞し難くなるように、障害釘等が配設されている。つまり、第１始動入賞口３７は、遊技盤ＹＢの左側を主とする第１流路Ｘに設けられている。
【００３８】
また、演出表示装置３３の右下には、遊技球の第２入賞口３８ａを有する第２始動入賞口３８が配設されている。第２始動入賞口３８は普通電動役物とされ、普通電動役物ソレノイドＳＯＬ１（図４に示す）の作動により開閉動作を行う開閉手段としての開閉扉３８ｂを備えている。第２始動入賞口３８は、開閉扉３８ｂの開動作により第２入賞口３８ａが開放されることで遊技球の入賞が許容される。つまり、第２始動入賞口３８は、開閉扉３８ｂの開動作により開状態（第１状態）とされたときには、閉状態（第２状態）とされたときよりも第２入賞口３８ａに遊技球が入賞（入球）し易くなる。そして、第２始動入賞口３８の奥方には入賞した遊技球を検知する第２始動口スイッチＳＷ２（図４及び図５に示す）が配設されている。第２始動入賞口３８は、入賞した遊技球を第２始動口スイッチＳＷ２で検知することにより、変動ゲームの始動条件と予め定めた個数の賞球としての遊技球の払出条件を付与し得る。なお、本実施形態において、遊技球が遊技盤ＹＢの右側から転動するときには、遊技盤ＹＢの左側から転動するときよりも、第２始動入賞口３８に入賞し易くなるように障害釘等が配設されている。つまり、第２始動入賞口３８は、遊技盤ＹＢの左側を主とする第１流路Ｘとは異なり、遊技盤ＹＢの右側を主とする第２流路Ｙに設けられている。
【００３９】
また、第２始動入賞口３８の上には、作動ゲート３９が配設されている。作動ゲート３９の奥方には、通過した遊技球を検知するゲートスイッチＳＷ５（図４及び図５に示す）が配設されている。作動ゲート３９は、通過した遊技球をゲートスイッチＳＷ５で検知することにより、普図ゲームの始動条件を付与し得る。普図ゲームは、第２始動入賞口３８の開閉扉３８ｂを開状態とするか否かの抽選結果を導出するために行われる演出である。即ち、普通当り抽選に当選すると、開閉扉３８ｂの開放によって第２始動入賞口３８に遊技球を入賞させ易くなり、遊技者は、第２変動ゲームの始動条件と賞球を容易に獲得できる機会を得ることができる。
【００４０】
また、第２始動入賞口３８の下方には、第１大入賞口ソレノイドＳＯＬ２（図４に示す）の作動により開閉動作を行う第１大入賞口扉４０ａを備えた第１大入賞口４０が配設されている。第１大入賞口４０の奥方には、入賞した遊技球を検知する第１カウントスイッチＳＷ３（図４及び図５に示す）が配設されている。第１大入賞口４０は、入賞した遊技球を検知することにより、予め定めた個数の賞球としての遊技球の払出条件を付与し得る。第１大入賞口４０は、変動ゲームにおける大当り遊技中に第１大入賞口扉４０ａが奥行き方向に移動する開動作によって開放されることで遊技球の入賞が許容される。このため、大当り遊技中、遊技者は、賞球を獲得できる機会を得ることができる。なお、本実施形態において、遊技球が遊技盤ＹＢの右側から転動するときには、遊技盤ＹＢの左側から転動するときよりも、第１大入賞口４０に入賞し易くなるように障害釘等が配設されている。
【００４１】
また、作動ゲート３９の左方には、第２大入賞口ソレノイドＳＯＬ３（図４に示す）の作動により開閉動作を行う第２大入賞口羽根４１ａを備えた第２大入賞口４１が配設されている。第２大入賞口４１の奥方には、入賞した遊技球を検知する第２カウントスイッチＳＷ４（図４及び図５に示す）が配設されている。第２大入賞口４１は、入賞した遊技球を検知することにより、予め定めた個数の賞球としての遊技球の払出条件を付与し得る。第２大入賞口４１は、変動ゲームにおける大当り遊技中に第２大入賞口羽根４１ａが奥行き方向に移動する開動作によって開放されることで遊技球の入賞が許容される。なお、本実施形態において、遊技球が遊技盤ＹＢの右側から転動するときには、遊技盤ＹＢの左側から転動するときよりも、第２大入賞口４１に入賞し易くなるように障害釘等が配設されている。
【００４２】
また、図３に示すように、第２大入賞口４１の奥方には、第２大入賞口４１に入賞した遊技球が１球ずつ通過可能な排出流路４２が形成されている。この排出流路４２は、第２大入賞口４１から下方に対して所定角度で傾斜するように形成されている。また、この排出流路４２には、１球の遊技球が通過可能な特定領域４３と一般領域４４とが並設されている。特定領域４３には、通過した遊技球を検知する特定領域スイッチＳＷ６（図４及び図５に示す）が、一般領域４４には、通過した遊技球を検知する一般領域スイッチＳＷ７（図４及び図５に示す）が、それぞれ配設されている。また、特定領域４３には、特定領域ソレノイドＳＯＬ４（図４に示す）の作動により特定領域４３の開閉動作を行う開閉片４５が配設されている。この開閉片４５は、第２大入賞口４１が開放された場合には、図３（ａ）に示すように、遊技球が通過可能なように特定領域４３を開放させることがあり、それ以外のときには、図３（ｂ）に示すように、遊技球が通過不可能なように特定領域４３を閉鎖させ、遊技球が一般領域４４に導かれる。
【００４３】
大当り抽選で大当りに当選し、第１特別図柄表示装置３４ａと第２特別図柄表示装置３４ｂとで大当り図柄が確定停止表示され、変動ゲームの終了後、大当り遊技が開始される。大当り遊技が開始すると、最初に大当り遊技の開始を示すオープニング演出が行われる。オープニング演出の終了後には、第１大入賞口４０が開放されるラウンド遊技が予め定めた規定ラウンド数を上限として複数回行われる。１回のラウンド遊技は、第１大入賞口４０の開閉が所定回数（本実施形態では１回）行われる迄であり、１回のラウンド遊技中に第１大入賞口４０に、規定個数（入賞上限個数）の遊技球が入賞する迄の間、又は規定時間（ラウンド遊技時間）が経過するまでの間、開放される。ラウンド遊技では、ラウンド演出が行われる。そして、規定ラウンド数のラウンド遊技が終了すると、大当り遊技の終了を示すエンディング演出が行われ、大当り遊技は終了される。
【００４４】
また、本実施形態において、第１変動ゲームにおいて小当り抽選に当選することはないが、第２変動ゲームにおいて小当り抽選に当選することがある。小当り抽選で小当りに当選し、第２特別図柄表示装置３４ｂで小当り図柄が確定停止表示されたときには、第２変動ゲームの終了後に、小当り遊技が開始される。小当り遊技が開始されると、第２大入賞口４１が開放される。小当り遊技は、第２大入賞口４１の開閉が所定回数行われる迄であり、規定個数（入賞上限個数）の遊技球が入賞する迄の間、又は規定時間が経過するまでの間、第２大入賞口４１が開放される。また、小当り遊技が開始されてから規定時間が経過した場合には、開閉片４５が開放動作を行い、予め定められた開放時間だけ特定領域４３を開放させる。この小当り遊技において第２大入賞口４１に遊技球が入賞し、その遊技球が特定領域４３を通過すると、小当り遊技の終了後に、大当り抽選に当選したときと同じように、大当り遊技が付与される。なお、本実施形態において、各入賞口３７〜４１は、遊技球の入球又は通過が可能な入球装置に相当し、各スイッチＳＷ１〜ＳＷ７が入球検知手段に相当する。特に、本実施形態における第２大入賞口４１は、遊技球が入賞した場合において特定領域４３を通過することによって、遊技者に有利な大当り遊技が付与される入球装置に相当する。
【００４５】
また、本実施形態のパチンコ遊技機では、大当り遊技の終了後には、変動短縮状態（以下、「変短状態」と示す）が付与される場合がある。この変短状態では、変短状態が付与されていない非変短状態と比較して、変動ゲームの変動時間が短縮される場合がある（短縮され得る）。また、変短状態では、開閉扉３８ｂを開動作させるか否かの抽選結果を導出する普図ゲームの変動時間が、非変短状態と比較して短縮される。また、変短状態では、普通当り抽選に当選した際、非変短状態とは異なる動作パターンで開閉扉３８ｂが開閉動作するようになっている。なお、本実施形態において、非変短状態で普通当り抽選に当選する場合には、開閉扉３８ｂが短開放する一方で、変短状態で普通当り抽選に当選する場合には、開閉扉３８ｂが長開放する。つまり、開閉扉３８ｂは、変短状態では、非変短状態と比較して、１回の普通当りに対応する合計開放時間が長く、遊技者にとって有利に動作するように設定されている。このため、変短状態は、開閉扉３８ｂが開放状態に動作し易い入球率向上状態であり、変動ゲーム（第２変動ゲーム）が実行され易くなる傾向がある。なお、小当り遊技の終了後には、小当り遊技の開始前の遊技状態を維持する。
【００４６】
また、変短状態が付与される場合には、各変動ゲームにおいて決定される大当りの種類に応じて、次回の大当り遊技が付与されるまで（「次回まで」と示す）、を上限回数として、変短状態が付与されるようになっている。なお、普通当りとなった場合に開閉扉３８ｂが開放されるが、閉鎖する前であっても、入賞上限個数の遊技球が入賞したときには、開閉扉３８ｂは閉鎖するようになっている。
【００４７】
また、このように変短状態が付与されている場合には、開閉扉３８ｂが開動作し易くなる。このため、第１始動入賞口３７に遊技球が入賞し難いが、遊技球が遊技盤ＹＢの右側から転動するように遊技球を発射させる（所謂、「右打ち」）ほうが遊技者にとって有利な遊技状態である。その一方で、変短状態が付与されていない場合には、開閉扉３８ｂが開動作し難くなる。このため、第１始動入賞口３７に遊技球が入賞するように、遊技球が遊技盤ＹＢの左側から転動するように遊技球を発射させる（所謂、「左打ち」）ほうが遊技者にとって有利な遊技状態である。
【００４８】
なお、大当り遊技中は、第１大入賞口４０に入賞し易くするために、右打ちするほうが遊技者にとって有利である。また、小当り遊技中も、第２大入賞口４１に入賞し易くするために、右打ちするほうが遊技者にとって有利である。
【００４９】
なお、本実施形態におけるパチンコ遊技機での仕様は以下の通りである。飾図としては［１］〜［８］の８種類の数字が採用されており、大当り図柄としては［１１１］［２２２］［３３３］［４４４］［５５５］［６６６］［７７７］［８８８］が採用されている。また、大当りの当選確率としては、第１変動ゲームと第２変動ゲームとの両方で同じ１６５／６５５３６が規定されている。また、小当りの当選確率としては、第２変動ゲームにおいて、非変短状態であるか変短状態であるかに拘わらず、６５３７１／６５５３６が規定されており、第１変動ゲームでは小当りに当選しない。普通当りの当選確率としては、非変短状態であるか変短状態であるかに拘わらず、６５２６２／６５５３６が規定されている。
【００５０】
また、遊技球の賞球数としては、第１始動入賞口３７及び第２始動入賞口３８に対して３個が、第１大入賞口４０及び第２大入賞口４１に対して１４個がそれぞれ規定されている。また、開閉扉３８ｂの短開放としては、開閉扉３８ｂが１回開放し、開放してから０．０８８ｓ経過するまで開放状態を維持する態様が、開閉扉３８ｂの長開放としては、開閉扉３８ｂが３回開放し、開放してから１．７ｓ経過するまで開放状態を維持する態様が、それぞれ規定されている。このため、非変短状態では、作動ゲート３９への遊技球の通過に伴って普図ゲームにおいて普通当りに当選した場合であっても、開閉扉３８ｂが短開放されるため、第２始動入賞口３８に遊技球がほとんど入球しない。また、開閉扉３８ｂの閉鎖条件である入賞上限個数としては、５球が規定されている。また、普図ゲームの変動時間としては、非変短状態で４．０ｓが、変短状態で１．５ｓがそれぞれ規定されている。また、大当り遊技中では、規定ラウンド数として「１５」が、各ラウンド遊技における第１大入賞口４０の開放回数として「１回」が、開放時間として「３０ｓ」が、入賞上限個数として「１０球」がそれぞれ設定されている。また、小当り遊技中では、第２大入賞口４１の開放回数として「１回」が、開放時間として「１．６ｓ」が、入賞上限個数として「５球」がそれぞれ設定されている。また、開閉片４５の動作により特定領域４３が開放される開放時間は、第２大入賞口が開放してから１ｓが経過した後から０．３８８ｓ間が規定されている。
【００５１】
第１変動ゲームにおける大当り遊技の終了後に変短状態が付与される確率（突入率、継続率）としては、非変短状態で大当り遊技が付与されたときには「５０％」が、変短状態で大当り遊技が付与されたときには「７５％」がそれぞれ規定されている。その一方で、第２変動ゲームにおける大当り遊技の終了後に変短状態が付与される確率（継続率）としては、非変短状態で当り遊技が付与されたときには「０％」が、変短状態で当り遊技が付与されたときには「７５％」がそれぞれ規定されている。
【００５２】
このような仕様とすることで以下のようなパチンコ遊技（所謂、１種２種混合機）を提供することができる。まず、非変短状態においては、左打ちにより第１始動入賞口３７に遊技球を入賞させることで、第１変動ゲームにおいて大当りに当選させるようなパチンコ遊技が行われる（１６５／６５５３６の大当り当選確率）。そして、第１変動ゲームにおいて大当りに当選した場合には、第１大入賞口４０が開放可能となる大当り遊技が付与され、右打ちにより第１大入賞口４０に遊技球を入賞させるようなパチンコ遊技が行われる。そして、第１変動ゲームにおける大当り遊技の終了後に変短状態が付与されなかった場合には、再度、左打ちにより非変短状態におけるパチンコ遊技が行われる。その一方で、第１変動ゲームにおける大当り遊技の終了後に変短状態が付与された場合には、変短状態におけるパチンコ遊技が行われる（突入率５０％）。
【００５３】
変短状態においては、右打ちにより、作動ゲート３９に遊技球を通過させ、それに伴って開放させた第２始動入賞口３８に遊技球を入賞させることで、第２変動ゲームにおいて当りに当選させるようなパチンコ遊技が行われる（１６５／６５５３６の大当り当選確率、６５３７１／６５５３６の小当り当選確率）。なお、この場合、極めて高い確率で小当りに当選することとなり、ほぼ毎変動ゲームで小当りに当選し、大当りに当選することは稀となる。第２変動ゲームにおいて小当りに当選した場合には、第２大入賞口４１が開放可能となる小当り遊技が付与され、右打ちが継続され、第２大入賞口４１に遊技球を入賞させるようなパチンコ遊技が行われる。そして、第２大入賞口４１に遊技球が入賞した場合において、第２大入賞口４１の奥方に形成されている特定領域４３（図３に示す）に遊技球が通過したときには、第２変動ゲームにおける大当り遊技が付与されることとなる。この場合も、第１変動ゲームにおいて大当り遊技と同じように、第１大入賞口４０が開放可能となる大当り遊技が付与され、右打ちが継続され、第１大入賞口４０に遊技球を入賞させるようなパチンコ遊技が行われる。その一方で、第２大入賞口４１に遊技球が入賞しなかった場合や、遊技球が第２大入賞口４１に入賞したが特定領域４３を通過しなかった場合には、第２変動ゲームにおける大当り遊技が付与されることなく、変短状態が維持され、引き続き変短状態におけるパチンコ遊技が行われる。そして、第２変動ゲームにおける大当り遊技の終了後に変短状態が付与された場合には、右打ちが継続され、再度、変短状態におけるパチンコ遊技が行われる（変短継続率７５％）。その一方で、第２変動ゲームにおける大当り遊技の終了後に変短状態が付与されなかった場合には、左打ちにより非変短状態におけるパチンコ遊技が行われる。
【００５４】
説明を戻し、本実施形態におけるパチンコ遊技機１０の機裏側には、貯留された遊技球を機外（上皿１５又は下皿２３）に払出す払出動作を行う払出ユニット６１（図４及び図５）が装着されている。払出ユニット６１には、球通路の上流側から下流側に遊技球を送る図示しないスプロケットが回転可能に支持されており、スプロケットの回転の許容、規制を切り替える払出ソレノイド６１ｌ（図５に示す）が配設されている。また、球通路の上流側には、停留されている遊技球の存在の有無を検出する払出制御センサ６１ｈが、球通路の下流側には、スプロケットの作動によって払出された遊技球を検出する払出計数センサ６１ｉ（ともに図５に示す）が配設されている。
【００５５】
また、パチンコ遊技機１０の機裏側には、中枠に外部端子板５３（図４及び図５に示す）が装着されている。外部端子板５３は、遊技場に設置された各パチンコ遊技機の動作状態を管理するために遊技場の管理室などに設置される外部装置（報知手段）としてのホールコンピュータＨＣ（図４及び図５に示す）に接続する基板である。なお、外部端子板５３が遊技盤ＹＢに装着されず、中枠に装着されることによって、遊技盤ＹＢに装着される場合よりも、外部端子板５３を装着する領域が確保し易くなり、ホールコンピュータＨＣに出力する信号線を増加させ易い構成となっている。
【００５６】
また、パチンコ遊技機１０の機裏側には、主制御基板５４と、電源基板５５と、払出制御基板５６と、発射制御基板５７と（ともに図４に示す）が、保護ケースにより覆われるように配置されており、更には、主制御中継端子板５８と遊技球等貸出装置接続端子板５９と（ともに図４に示す）が装着されている。
【００５７】
主制御基板５４は、遊技の進行を制御する第１制御手段（制御手段）として機能し、パチンコ遊技機１０全体を制御する。電源基板５５は、電源スイッチと、遊技機設置設備の電源に接続される電源コードとを有し、パチンコ遊技機１０の各種制御基板や各種演出装置に対して電源を供給する。さらに、電源基板５５には、パチンコ遊技機１０の電源投入時に操作することにより、バックアップデータをクリアするＲＷＭクリアスイッチＲＣＳ（図４に示す）が設けられている。払出制御基板５６は、遊技球を払出す払出ユニット６１（図４に示す）の払出動作を制御する第２制御手段（制御手段）として機能し、賞球又は貸し球として払出す遊技球の払出しに関する払出制御を実行する。発射制御基板５７は、発射ハンドル２４の操作状態を検知し、その検知結果に応じて遊技球の発射間隔や発射強度などの発射制御を実行する。主制御中継端子板５８は、主制御基板５４と払出制御基板５６との間に接続される基板である。遊技球等貸出装置接続端子板５９は、カードユニット装置１１と球貸し操作部２６とを払出制御基板５６に接続する基板である。
【００５８】
本実施形態のパチンコ遊技機１０では、機種毎に専用部品となる主制御基板５４を遊技盤ＹＢに装着し、機種に関係なく流用可能な共通部品となる電源基板５５、払出制御基板５６及び発射制御基板５７を中枠に装着している。この構成により、遊技盤ＹＢを交換し、その他の部材をそのまま流用して機種変更を行う場合（盤代えによる機種変更）において、主制御基板５４などの遊技盤ＹＢに装着される専用部品は交換対象の部品となり、払出制御基板５６などの中枠に装着される共通部品は非交換対象の部品となる。
【００５９】
また、遊技盤ＹＢの裏面側には、統括制御基板７０と、音声・ランプ制御基板７１と、演出表示装置３３と、表示制御基板７２と（ともに図４及び図５に示す）が配設されている。統括制御基板７０と音声・ランプ制御基板７１とは一体形成されている。統括制御基板７０は、主制御基板５４が出力する制御信号を入力し、演出表示装置３３、枠用ランプ部１７、及び各スピーカ２０などの報知を行う報知手段を統括的に制御する報知制御手段として機能し、このような制御を行うための制御信号を音声・ランプ制御基板７１及び表示制御基板７２に出力する。音声・ランプ制御基板７１は、枠用ランプ部１７の発光態様と、スピーカ２０の音声出力態様とを専門的に制御する基板である。表示制御基板７２は、演出表示装置３３の表示態様を専門的に制御する基板である。
【００６０】
次に、パチンコ遊技機１０の電気的構成を図４及び図５を参照して以下に説明する。
図４に示すように、電源基板５５には、遊技機設置設備の電源が接続されているとともに、払出制御基板５６が接続されている。払出制御基板５６には、主制御中継端子板５８が接続されている。主制御中継端子板５８には、主制御基板５４が接続されている。主制御基板５４には、統括制御基板７０が接続されている。
【００６１】
なお、本実施形態においては、電源基板５５から供給される電源は、符号Ｖの矢印で示すように、主に払出制御基板５６、主制御中継端子板５８、主制御基板５４、統括制御基板７０等の各種制御基板や各種装置に供給される。また、電源基板５５から供給されるバックアップ電源は、符号ＶＢＢの点線矢印で示すように、払出制御基板５６及び主制御基板５４に供給される。なお、本実施形態における電源基板５５は、主制御基板５４及び払出制御基板５６に対して、各種情報のバックアップを行うためのバックアップ電源を供給するバックアップ電源供給手段として機能する。
【００６２】
また、電源基板５５には、オン設定、オフ設定に切替操作が可能なＲＷＭクリアスイッチＲＣＳが配設されている。電源基板５５からは、ＲＷＭクリアスイッチＲＣＳの操作に応じて、ＲＷＭクリア信号が払出制御基板５６に出力され、払出制御基板５６及び主制御中継端子板５８を介して、主制御基板５４にも出力される。また、電源基板５５からは、ＲＷＭクリア信号以外にも、電源断信号、リセット信号等が払出制御基板５６に出力され、払出制御基板５６及び主制御中継端子板５８を介して、主制御基板５４にも出力される。なお、本実施形態において、主制御基板５４からは、リセット信号が統括制御基板７０に出力される。また、本実施形態においては、電源基板５５からの電源断信号、リセット信号、ＲＷＭクリア信号は、払出制御基板５６と主制御基板５４とに対して同じように入力されることとなり、何れか一方のみに入力されるようには構成されていない。
【００６３】
また、払出制御基板５６と主制御中継端子板５８との間、及び主制御基板５４と主制御中継端子板５８との間は、それぞれ互いに信号の送受信が可能な双方向通信を許容した形態で接続されている。
【００６４】
主制御基板５４には、図柄表示基板８６が接続されている。図柄表示基板８６には、各特別図柄表示装置３４ａ、３４ｂと、各特別図柄保留表示装置３５ａ，３５ｂと、普通図柄表示装置３６と、が接続されており、主制御基板５４が出力する制御信号を入力することにより各特別図柄表示装置３４ａ，３４ｂ、各特別図柄保留表示装置３５ａ，３５ｂ、及び普通図柄表示装置３６の表示内容を制御する。そして、図柄表示基板８６は、各特別図柄表示装置３４ａ、３４ｂ、各特別図柄保留表示装置３５ａ，３５ｂ、及び普通図柄表示装置３６と対応する位置に装着されている。
【００６５】
主制御基板５４には、磁気センサＳＥ１、誘導磁界検知センサＳＥ２、振動検知センサＳＥ３、第１始動口スイッチＳＷ１、第２始動口スイッチＳＷ２、第１カウントスイッチＳＷ３、第２カウントスイッチＳＷ４、ゲートスイッチＳＷ５、特定領域スイッチＳＷ６、一般領域スイッチＳＷ７などの各種のスイッチ・センサが接続されている。また、主制御基板５４には、普通電動役物ソレノイドＳＯＬ１、第１大入賞口ソレノイドＳＯＬ２、第２大入賞口ソレノイドＳＯＬ３、及び特定領域ソレノイドＳＯＬ４などの各種の可動体作動用のソレノイドが接続されている。
【００６６】
統括制御基板７０には、表示制御基板７２と音声・ランプ制御基板７１とが接続されている。表示制御基板７２には、演出表示装置３３が接続されている。音声・ランプ制御基板７１には、枠用ランプ部１７と、スピーカ２０とが接続されている。
【００６７】
次に、払出制御基板５６には、発射制御基板５７がそれぞれに双方向通信を許容した形態で接続されている。発射制御基板５７には発射ユニット８３が接続されている。発射ユニット８３は、図示しない発射ソレノイドと該発射ソレノイドに連結される図示しない打球杆から構成される。そして、上皿１５から機内に取り込んだ遊技球は、発射制御基板５７による発射ソレノイドのオン／オフ制御に応じて打球杆が作動することにより遊技盤ＹＢへ向けて打球される。
【００６８】
また、発射ユニット８３には、前枠１６の開放時に該前枠１６の開放を検知する扉開放検知スイッチ８５が装着されており、発射制御基板５７に接続されている。扉開放検知スイッチ８５によって前枠１６の開放が検知されると、発射制御基板５７を介して払出制御基板５６に制御信号が入力される。
【００６９】
また、払出制御基板５６には、払出ユニット６１と遊技球等貸出装置接続端子板５９とがそれぞれに双方向通信を許容した形態で接続されている。そして、遊技球等貸出装置接続端子板５９には、カードユニット装置１１と球貸し操作基板８８とがそれぞれに双方向通信を許容した形態で接続されている。球貸し操作基板８８は、上皿１５の内部であって球貸し操作部２６と対応する位置に装着されている。カードユニット装置１１と遊技球等貸出装置接続端子板５９は、互いに信号の送受信が可能な双方向通信を許容した形態で接続されている。遊技球等貸出装置接続端子板５９と球貸し操作基板８８は、互いに信号の送受信が可能な双方向通信を許容した形態で接続されている。
【００７０】
払出制御基板５６は、遊技球等貸出装置接続端子板５９を介してカードユニット装置１１に対して、貸し球としての遊技球の払出しが完了したことや、遊技球の払出しが可能であることを指示する信号貸し球に関する信号を供給する。一方、払出制御基板５６は、遊技球等貸出装置接続端子板５９を介してカードユニット装置１１が出力するカードユニット装置１１に関する信号を出力する。
【００７１】
球貸し操作基板８８には、球貸し操作部２６が装着されており、遊技球等貸出装置接続端子板５９を介してカードユニット装置１１に対して球貸しに関する信号を出力する。一方、球貸し操作基板８８は、遊技球等貸出装置接続端子板５９を介してカードユニット装置１１が出力するカードユニット装置１１やプリペイドカードに関する信号を入力する。
【００７２】
また、払出制御基板５６には、外部端子板５３が接続されているとともに、該外部端子板５３にはホールコンピュータＨＣが接続されるようになっている。払出制御基板５６は、外部端子板５３を介してホールコンピュータＨＣに対して、パチンコ遊技機１０の動作状態等の遊技情報を出力可能である。
【００７３】
また、払出制御基板５６には、満杯スイッチ８９が接続されている。満杯スイッチ８９は、上皿１５と下皿２３を連結する溢れ球通路２２の途中に設置されている。そして、満杯スイッチ８９は、下皿２３における遊技球の貯留量が該遊技球の外部排出（すなわち、下皿球抜きボタン２８の操作などにより下皿２３内の遊技球を取り出すこと）を遊技者に促す貯留量に達したか否かを検出する。なお、パチンコ遊技機１０では、上皿１５の貯留量が満杯状態になると遊技球を溢れ球通路２２によって下皿２３へ導くようになっている。このため、下皿２３の貯留量が満杯状態となり、該満杯状態を解消させない場合には、遊技球の払出しに伴って溢れ球通路２２等も遊技球で満杯状態となり、やがて払出ユニット６１まで達し、該払出ユニット６１の動作を妨げることとなる。したがって、パチンコ遊技機１０は、下皿２３の満杯状態を満杯スイッチ８９で検出し、遊技者に遊技球の外部排出を促す制御（満杯状態の報知など）を実行するように構成されている。
【００７４】
次に、本実施形態のパチンコ遊技機１０における外部端子板５３、主制御基板５４、払出制御基板５６、発射制御基板５７、払出ユニット６１、及び統括制御基板７０等の接続態様及び送受信される制御信号の種類について図７を参照してさらに詳しく説明する。なお、図５においては、主制御基板５４と払出制御基板５６との間に介在する主制御中継端子板５８をはじめ、各種構成要素等が省略されている。
【００７５】
主制御基板５４には、制御動作を所定の手順で実行することができる主制御用ＣＰＵ(Central  Processing  Unit)５４ａと、主制御用ＣＰＵ５４ａの制御プログラムを格納する主制御用ＲＯＭ(Read  Only  Memory)５４ｂと、必要なデータの書き込み及び読み出しができる主制御用ＲＷＭ(Read  Write  Memory)５４ｃなどが設けられている。主制御用ＣＰＵ５４ａは、大当り又は小当りに当選するか否かを判定するための当り判定用乱数、特図の種類を決定するための特図振分乱数、はずれリーチ変動とするか否かを決定するためのリーチ判定用乱数などの各種乱数値を所定の周期毎にカウントし、発生させる。
【００７６】
払出制御基板５６には、制御動作を所定の手順で実行することができる払出制御用ＣＰＵ５６ａと、払出制御用ＣＰＵ５６ａの制御プログラムを格納する払出制御用ＲＯＭ５６ｂと、必要なデータの書き込み及び読み出しができる払出制御用ＲＷＭ５６ｃとが設けられている。さらに、払出制御基板５６には、該払出制御基板５６側で検出した各種のエラー状態を表示する図示しない状態表示装置が設けられている。なお、本実施形態におけるエラー状態（エラー）とは、正常な動作が行われていない状態に限らず、正常な動作が行われている状態であっても、パチンコ遊技機１０のセキュリティに関する脅威が存在するおそれのある状態も含まれる。
【００７７】
統括制御基板７０には、制御動作を所定の手順で実行することができる統括制御用ＣＰＵ７０ａと、統括制御用ＣＰＵ７０ａの制御プログラムを格納する統括制御用ＲＯＭ７０ｂと、必要なデータの書き込み及び読み出しができる統括制御用ＲＷＭ７０ｃとが設けられている。
【００７８】
払出制御基板５６は、主制御中継端子板５８を介して主制御基板５４に対して、電源基板５５により出力された電源断信号と、リセット信号と、ＲＷＭクリア信号とを入力する。主制御基板５４と払出制御基板５６とにおいては、それら信号に基づいて、電断時処理や初期化処理を行う。特に、主制御基板５４と払出制御基板５６とでは、ＲＷＭクリアスイッチＲＣＳからのＲＷＭクリア信号が入力された状態において、リセット信号が入力した場合には、バックアップデータがクリアされる。その一方で、主制御基板５４と払出制御基板５６とでは、ＲＷＭクリアスイッチＲＣＳからのＲＷＭクリア信号が入力されていない状態において、リセット信号が入力した場合には、バックアップデータがクリアされない。
【００７９】
本実施形態において払出制御基板５６の払出制御用ＣＰＵ５６ａは、６種類のエラー状態を検出するように構成されている。具体的に言えば、払出制御用ＣＰＵ５６ａは、払出停止中エラーと、満杯エラーと、払出ユニットエラーと、払出ユニット球詰まりエラーと、払出ユニット球切れエラーと、遊技球等貸出装置未接続エラーを検出する。払出停止中エラーは、遊技球の払出しが停止状態のときのエラー状態である。満杯エラーは、下皿２３が満杯状態のときのエラー状態である。払出ユニットエラーは、払出ユニット６１を構成する払出制御センサ６１ｈや払出計数センサ６１ｉなど、払出ユニット６１自体に故障が発生しているときのエラー状態である。払出ユニット球詰まりエラーは、払出ユニット６１の作動によって払出される遊技球が該払出ユニット６１から排出されずに払出計数センサ６１ｉの検知範囲内で滞留しているときのエラー状態である。払出ユニット球切れエラーは、次払出し段階の遊技球が存在しておらず、払出制御センサ６１ｈが遊技球を検知できないときのエラー状態である。遊技球等貸出装置未接続エラーは、パチンコ遊技機１０とカードユニット装置１１が未接続のときのエラー状態である。
【００８０】
払出制御基板５６は、満杯スイッチ８９が出力する満杯スイッチ信号を入力する。この満杯スイッチ信号は、下皿２３における遊技球の貯留量が該遊技球の外部排出を遊技者に促す貯留量に達したか否かの検出結果を示す信号である。この満杯スイッチ信号は、満杯スイッチ８９が前記貯留量に達した旨を検出した場合にオンとなり、前記貯留量に達した旨を検出していない場合にオフとなる。
【００８１】
払出制御基板５６は、払出ユニット６１に払出ソレノイド信号を出力するとともに、該払出ユニット６１は、払出制御基板５６に払出計数センサ信号（払出検出信号）と払出制御センサ信号を出力する。払出ソレノイド信号は、払出ユニット６１の払出ソレノイド６１ｌに対し、オン作動及びオフ作動を指示する信号である。払出計数センサ信号は、払出計数センサ６１ｉによる遊技球の検出結果を示す信号であり、払出計数センサ６１ｉから出力される。この払出計数センサ信号は、払出計数センサ６１ｉが遊技球を検出した場合にオンとなり、遊技球を検出していない場合にオフとなる。払出制御センサ信号は、払出制御センサ６１ｈによる遊技球の検出結果を示す信号であり、払出制御センサ６１ｈから出力される。この払出制御センサ信号は、払出制御センサ６１ｈが遊技球を検出した場合にオンとなり、遊技球を検出していない場合にオフとなる。
【００８２】
払出制御基板５６は、発射制御基板５７を介して扉開放検知スイッチ８５が出力する扉開放スイッチ信号を入力する。この扉開放スイッチ信号は、前枠１６が開放されたか否かの検知結果を示す信号である。この扉開放スイッチ信号は、前枠１６が開放されたと検知した場合にオンとなり、前枠１６が開放されていないと検知した場合にオフとなる。
【００８３】
また、払出制御基板５６は、主制御中継端子板５８を介して主制御基板５４に対して、エラー１信号とエラー２信号と扉開放検知信号とを出力する。エラー１信号は、払出制御基板５６の払出制御用ＣＰＵ５６ａが検出する各種のエラー状態のうち、満杯エラーが発生している場合に該エラー状態を指示する信号である。エラー２信号は、払出制御基板５６の払出制御用ＣＰＵ５６ａが検出する各種のエラー状態のうち、払出ユニット球切れエラーが発生している場合に該エラー状態を指示する信号である。これらのエラー１信号とエラー２信号は、満杯エラーを検出した場合にエラー１信号がオンになるとともに、払出ユニット球切れエラーを検出した場合にエラー２信号がオンになる一方で、これらのエラーを検出していない場合に何れの信号（エラー１信号とエラー２信号）もオフとなる。扉開放検知信号は、前枠１６が開放されたと検知したことを指示する信号である。
【００８４】
払出制御基板５６は、発射制御基板５７に対し発射停止信号を出力する。発射停止信号は、遊技球の発射を強制的に停止させる旨を指示する信号である。本実施形態において払出制御基板５６は、遊技球等貸出装置未接続エラーが発生している場合に発射停止信号を出力する。
【００８５】
主制御基板５４は、各種のスイッチ・センサと接続されている。具体的に、主制御基板５４は、磁気センサＳＥ１、誘導磁界検知センサＳＥ２、振動検知センサＳＥ３、第１始動口スイッチＳＷ１、第２始動口スイッチＳＷ２、第１カウントスイッチＳＷ３、第２カウントスイッチＳＷ４、ゲートスイッチＳＷ５、特定領域スイッチＳＷ６、一般領域スイッチＳＷ７と接続されている。
【００８６】
主制御基板５４は、磁気センサＳＥ１が出力する磁気検知信号を入力する。この磁気検知信号は、磁気センサＳＥ１によって所定の強さ以上の磁気が検知されたことを示す信号である。この磁気検知信号は、所定の強さ以上の磁気が検知された場合にオンとなり、所定の強さ以上の磁気が検知されていない場合にオフとなる。
【００８７】
主制御基板５４は、誘導磁界検知センサＳＥ２が出力する電波検知信号を入力する。この電波検知信号は、誘導磁界検知センサＳＥ２によって特定の周波数帯の電波が検知されたことを示す信号である。なお、本実施形態において、特定の周波数帯としては、遊技球の入球や通過を検知する各種スイッチＳＷ１〜ＳＷ７などに悪影響を及ぼすおそれのある周波数帯である。この電波検知信号は、特定の周波数帯の電波が検知された場合にオンとなり、特定の周波数帯の電波が検知されていない場合にオフとなる。
【００８８】
主制御基板５４は、振動検知センサＳＥ３が出力する振動検知信号を入力する。この振動検知信号は、振動検知センサＳＥ３によって所定の強度以上の振動（特定の振動）が検知されたことを示す信号である。なお、本実施形態において、振動検知センサＳＥ３としては加速度センサが採用されており、遊技領域における遊技球の入球や通過や、各入賞口に残存する遊技球が変位して各種スイッチＳＷ１〜ＳＷ７などに悪影響を及ぼすおそれのある特定の加速度を越える場合に所定の強度以上の振動があったと検知することとなる。この振動検知信号は、所定の強度以上の振動が検知された場合にオンとなり、所定の強度以上の振動が検知されていない場合にオフとなる。なお、本実施形態において、所定の強度以上の振動を検知する振動検知センサＳＥ３が特定検知手段に相当する。
【００８９】
主制御基板５４は、第１始動口スイッチＳＷ１、第２始動口スイッチＳＷ２、第１カウントスイッチＳＷ３、第２カウントスイッチＳＷ４、ゲートスイッチＳＷ５、特定領域スイッチＳＷ６、及び一般領域スイッチＳＷ７が出力する入賞検知信号のそれぞれを入力する。この入賞検知信号のそれぞれは、第１始動入賞口３７、第２始動入賞口３８、第１大入賞口４０、第２大入賞口４１、作動ゲート３９、特定領域４３、及び一般領域４４の何れかによって遊技球が入賞又は通過されたことを示す信号である。この入賞検知信号は、各入賞口に遊技球が入賞又は通過した場合にオンとなり、各入賞口に遊技球が入賞又は通過しなかった場合にオフとなる。
【００９０】
本実施形態において主制御基板５４の主制御用ＣＰＵ５４ａは、図６に示す主なエラー状態を検出するように構成されている。具体的に言えば、主制御用ＣＰＵ５４ａは、ＲＷＭクリアと、磁気エラーと、誘導磁界検知エラーと、振動検知エラーと、第１大入賞口不正入賞エラーと、第２大入賞口不正入賞エラーと、普通電動役物不正入賞エラーと、役物内球詰まりエラーと、扉開放と、満杯エラーと、賞球エラーとを検出する。ＲＷＭクリアは、バックアップデータが初期化されることを示す状態であり、電源基板５５から出力されるＲＷＭクリア信号がオンとなった状態で、リセット信号がオンとなったときに検出される。磁気エラーは、磁気センサＳＥ１により所定の強さ以上の磁気が検知されたときのエラー状態であり、磁気センサＳＥ１からの磁気検知信号がオンとなったときに検出される。誘導磁界検知エラーは、誘導磁界検知センサＳＥ２により特定の周波数帯の電波が検知されたときのエラー状態であり、誘導磁界検知センサＳＥ２からの磁気検知信号がオンとなったときに検出される。振動検知エラーは、振動検知センサＳＥ３により所定の強度以上の振動が検知され、振動検知センサＳＥ３からの振動検知信号がオンとなったことを一つの条件として検出される。第１大入賞口不正入賞エラーは、大当り遊技ではない遊技において、大当り遊技が終了してから一定時間が経過した後に第１大入賞口４０に遊技球が入賞したときのエラー状態であり、大当り遊技ではない遊技において第１カウントスイッチＳＷ３からの入賞信号がオンとなったときに検出される。第２大入賞口不正入賞エラーは、小当り遊技ではない遊技において、小当り遊技が終了してから一定時間が経過した後に第２大入賞口４１に遊技球が入賞したときのエラー状態であり、小当り遊技ではない遊技において第２カウントスイッチＳＷ４からの入賞信号がオンとなったときに検出される。普通電動役物不正入賞エラーは、開閉扉３８ｂが閉鎖しており、第２始動入賞口３８に遊技球が入賞すべきでないタイミングに、第２始動入賞口３８に遊技球が入賞したときのエラー状態であり、開閉扉３８ｂが閉鎖しており、開閉扉３８ｂの閉鎖動作から一定時間が経過した後に第２始動口スイッチＳＷ２からの入賞信号がオンとなったときに検出される。役物内球詰まりエラーは、各入賞口３７〜４１に遊技球が残存しているエラー状態であり、各スイッチＳＷ１〜ＳＷ７のうち何れかからの入賞信号が規定時間を越えて連続してオンとなったときに検出される。また、この役物内球詰まりエラーは、第２カウントスイッチＳＷ４からの入賞信号がオンからオフになってから規定時間を越えても、特定領域スイッチＳＷ６、一般領域スイッチＳＷ７の何れかからの入賞信号がオンとならないときにも検出される。特に、所謂、糸釣りゴトや大玉ゴトが検知可能である。糸釣りゴトとは、糸などの一端を付着させた遊技球を発射させ、各種入賞口に入賞させて、入賞口内に残存させる。そして、物理的に変位させたり、電波により各種スイッチを誤動作させたりすることで、恰も多くの遊技球が入賞したと検知させ、多くの遊技球を払出させる不正である。また、大玉ゴトとは、通常用いられる遊技球よりも僅かに大きいサイズの遊技球を発射させ、各種入賞口に入賞させて、入賞口内に残存させる。そして、電波により各種スイッチを誤動作させることで、恰も多くの遊技球が入賞したと検知させ、多くの遊技球を払出させる不正である。扉開放は、前枠１６が開放された状態であり、払出制御基板５６からの扉開放信号がオンとなったときに検出される。満杯エラーは、下皿２３が満杯状態のときのエラー状態であり、払出制御基板５６からのエラー１信号がオンとなったときに検出される。賞球エラーは、上記払出ユニット球切れエラーと同じエラー内容であり、次払出し段階の遊技球が存在しておらず、払出制御センサ６１ｈが遊技球を検知できないときのエラー状態であり、払出制御基板５６からのエラー２信号がオンとなったときに検出される。
【００９１】
また、図５に示すように、主制御基板５４は、主制御中継端子板５８を介して払出制御基板５６に対して、情報１信号〜情報７信号と、扉開放情報信号と、セキュリティ情報信号（出力情報、エラー関連情報）と、賞球制御信号（払出制御コマンド）とを出力する。これらの各信号は、別々の信号線を用いて出力される。情報１信号〜情報７信号は、ホールコンピュータＨＣに対し、パチンコ遊技機１０の遊技に関する情報を出力する信号である。例えば、これらの情報としては、大当り遊技や小当り遊技などの遊技状態を示す情報、第１始動入賞口３７及び第２始動入賞口３８に遊技球が入球したことを示す情報、図柄変動ゲーム及び普通図柄変動ゲームが終了したことを示す情報などである。扉開放情報信号は、前枠１６が開放されたこと、すなわち扉開放検知スイッチ８５が扉の開放を検出したことを出力する信号である。セキュリティ情報信号は、複数種類のエラー状態のうち、特定のエラー状態の少なくとも何れかが検知されたことを出力する信号である。なお、本実施形態において、この特定のエラー状態としては、図６に示すように、ＲＷＭクリア、磁気エラー、誘導磁界検知エラー、振動検知エラー、第１大入賞口不正入賞エラー、第２大入賞口不正入賞エラー及び普通電動役物不正入賞エラーが該当する。その一方で、役物内球詰まりエラー、扉開放、満杯エラー及び賞球エラーは、特定のエラー状態に該当せずに、非特定のエラー状態に該当する。この特定のエラー状態として規定されたエラー状態は、主に不正防止に関わるエラー状態であり、非特定のエラー状態として規定されたエラー状態は、必ずしも不正防止に関わるというエラー状態ではない。具体的な一例としては、扉開放については、不正に前枠１６を開放させる以外にも、遊技盤ＹＢの障害釘の間に挟まった遊技球を排除する等、前枠１６が開放されることは稀ではなく、その場合には、扉開放情報信号として出力される。この扉開放情報信号とは異なり、特定のエラー状態が検知されることは頻繁にはなく、扉開放情報信号とは別にセキュリティ情報信号を出力するように構成されている。また、前枠１６が開放される時間としては、特定のエラー状態と比べると連続性があり、長時間検知されるという特徴があるため、扉開放情報信号とは別にセキュリティ情報信号を出力可能にすることによって、扉開放と特定のエラー状態との重複を防止することができる。賞球制御信号は、各入賞口３７，３８，４０，４１への遊技球の入球により賞球としての遊技球の払出条件が成立した場合に、該払出条件に応じた数の賞球の払出しを指示する信号である。
【００９２】
ここで、セキュリティ情報信号の出力態様の具体的な一例について図７を参照して以下に説明する。
図７に示すように、主制御基板５４には、払出制御基板５６から基本パルスが入力されている。この基本パルスは、払出制御基板５６により生成されており、予め定められた規定周期Ｔ（本実施形態では０．０５６ｓ）でオン設定、オフ設定が切り替わる信号である。なお、本実施形態において、払出制御基板５６は、予め定められた規定周期Ｔで基本パルスを生成する基本パルス生成手段として機能する。そして、主制御基板５４に対して、ＲＷＭクリア信号がオンの状態で、リセット信号が入力され、符号Ｔ１に示すタイミングで、リセット信号がオンからオフになったときには、ＲＷＭクリアが検出され、主制御用ＲＷＭ５４ｃに割り当てられたセキュリティ情報出力カウンタが「０」から「１」になる。
【００９３】
そして、主制御基板５４の初期設定が終了した後、符号Ｔ２に示すタイミングで、払出制御基板５６から主制御基板５４に基本パルスがオンとして入力されると、セキュリティ情報信号がオンとして主制御基板５４から払出制御基板５６に出力される。そして、セキュリティ情報信号がオンとして出力されたことに応じてセキュリティ情報出力カウンタが「１」から「０」になる。また、このセキュリティ情報信号は、基本パルスの規定周期Ｔがオンとなっている時間だけオンとなり、基本パルスの規定周期Ｔがオフとなる符合Ｔ３に示すタイミングでオフとなる。
【００９４】
また、符号Ｔ４に示すタイミングで磁気エラー、振動検知エラー、第１大入賞口不正入賞エラー、及び普通電動役物不正入賞エラーが同じタイミングで検出された場合には、セキュリティ情報出力カウンタが「０」から「１」になる。このように複数のエラー状態が検出された場合には、エラー状態が検出されたことが特定可能であり、１回のエラー状態の検出として計数される。また、セキュリティ情報出力カウンタが「１」になってから基本パルスがオフからオンになる前であり、各エラーが検出されなくなり、符号Ｔ５に示すタイミングで、再度、磁気エラー及び振動検知エラーが同時に検出された場合には、セキュリティ情報出力カウンタが「１」から「２」になる。
【００９５】
そして、符号Ｔ６に示すタイミングで払出制御基板５６から主制御基板５４に基本パルスがオンとして入力されると、セキュリティ情報信号がオンとして主制御基板５４から払出制御基板５６に出力され、セキュリティ情報出力カウンタが「２」から「１」になる。続いて、符号Ｔ８に示すタイミングで払出制御基板５６から主制御基板５４に基本パルスがオンとして入力されると、セキュリティ情報信号が主制御基板５４から払出制御基板５６に出力され、セキュリティ情報出力カウンタが「１」から「０」になる。この場合も、セキュリティ情報信号は、基本パルスの規定周期Ｔがオンとなっている時間だけオンとなり、基本パルスの規定周期Ｔがオフとなる符合Ｔ７や符号Ｔ９に示すタイミングでオフとなる。
【００９６】
ここで説明を戻し、主制御用ＣＰＵ５４ａは、エラー状態を検出すると、そのエラー状態の報知を指示するエラー指定コマンドを選択し、該エラー指定コマンドを統括制御基板７０に出力する。なお、本実施形態におけるエラー指示コマンドは、エラー状態毎に異なるコマンドである。
【００９７】
また、主制御用ＣＰＵ５４ａは、エラー状態の検出が終了すると、そのエラー状態の報知の解除を指示するエラー解除指定コマンドを選択し、該エラー解除指定コマンドを統括制御基板７０に出力する。なお、本実施形態におけるエラー終了指示コマンドは、エラー状態毎に異なるコマンドである。
【００９８】
その一方で、統括制御基板７０の統括制御用ＣＰＵ７０ａは、エラー指定コマンドを入力すると、該コマンドに対応するエラー報知を実行させる。具体的に、統括制御用ＣＰＵ７０ａは、表示制御基板７２に演出表示装置３３において画像によるエラー報知を実行させ、音声・ランプ制御基板７１に対してエラー報知の実行を指示し、スピーカ２０からのエラー音によるエラー報知を実行させる。また、統括制御基板７０のＣＰＵは、エラー解除指定コマンドを入力すると、該コマンドに対応するエラー報知を終了させる。なお、本実施形態においては、図６に示すように、ＲＷＭクリア、磁気エラー、誘導磁界検知エラーについては、画像、音声及びランプを用いてエラー報知が行われる。また、振動検知エラー、第１大入賞口不正入賞エラー、第２大入賞口不正入賞エラー、役物内球詰まりエラー、扉開放については、音声及びランプを用いてエラー報知が行われる。また、普通電動役物不正入賞エラーについては、ランプを用いてエラー報知が行われる。また、満杯エラーについては、画像及び音声を用いてエラー報知が行われる。また、賞球エラーについては、ランプを用いてエラー報知が行われる。
【００９９】
また、ＲＷＭクリア、振動検知エラー、第１大入賞口不正入賞エラー、第２大入賞口不正入賞エラー及び普通電動役物不正入賞エラー、扉開放は、エラーが検知されてから予め定められた規定時間（例えば、３０秒）が経過するまで、エラー報知が行われる。その一方で、磁気エラー、誘導磁界検知エラーは、電源断となるまでエラー報知が行われ、役物内球詰まりエラー、満杯エラー及び賞球エラーは、エラーが解除されるまでエラー報知が行われる。
【０１００】
また、これらのようなエラー報知としては、それぞれのエラー状態が特定可能なように、エラー状態毎に異なる報知態様で行われる。具体的な一例としては、磁気エラーが検出された場合には紫色で、誘導磁界検知エラーが検出された場合には緑色で、振動検知エラーが検出された場合には橙色で、役物内球詰まりエラーが検出された場合には青色で、それぞれ枠用ランプ部１７が点灯する。また、エラー状態毎に異なる音声データが対応付けられており、異なる音声を用いたエラー報知が行われる。
【０１０１】
また、統括制御用ＲＯＭ７０ｂには、エラー状態毎に優先順位が記憶されている。具体的には、優先順位の高い順に、ＲＷＭクリア、磁気エラー、誘導磁界検知エラー、振動検知エラー、第１大入賞口不正入賞エラー、第２大入賞口不正入賞エラー、普通電動役物不正入賞エラー、役物内球詰まりエラー、扉開放、満杯エラー、賞球エラーとして優先順位が規定されている。特に、振動検知エラーのほうが、役物内球詰まりエラーより優先順位が高くなるように優先順位が規定されている。なお、本実施形態において、このような統括制御用ＲＯＭ７０ｂは、複数種類のエラー毎に優先順位が記憶された優先順位記憶手段として機能する。
【０１０２】
そして、統括制御用ＣＰＵ７０ａは、複数種類のエラー状態が検知されている場合には、検知されている複数のエラーに関するエラー報知を重複させて実行させることはなく、複数のエラーの優先順位を統括制御用ＲＯＭ７０ｂから読み出し、優先順位の最も高い１種類のエラー状態に関するエラー報知を実行させるように制御する。また、統括制御用ＣＰＵ７０ａは、複数種類のエラー状態が検知されている場合において、優先順位が最も高いエラー状態を指定するエラー解除指定コマンドを入力したときには、エラー解除指定コマンドにより指定されたエラー状態を除いて、優先順位が最も高いエラー状態に関するエラー報知を実行させるように制御する。
【０１０３】
次に、払出制御基板５６は、主制御中継端子板５８を介して主制御基板５４から出力された各種信号を入力すると、情報１信号〜情報７信号と、扉開放情報信号と、セキュリティ情報信号と、賞球予定情報信号（払出予定信号）と、賞球情報信号とを外部端子板５３を介してホールコンピュータＨＣに出力する。これらの各信号は、別々の信号線を用いて出力される。なお、情報１信号〜情報７信号と、扉開放情報信号と、セキュリティ情報信号とは、払出制御用ＣＰＵ５６ａに入力されず、該払出制御用ＣＰＵ５６ａは各信号を用いた制御を実行しない。このように払出制御用ＣＰＵ５６ａが制御に用いない各信号の信号線も払出制御基板５６に接続することで、各信号の信号線を主制御中継端子板５８と外部端子板５３との間に特別に配設する必要がなく、賞球制御信号の信号線とまとめたコネクタを使って信号を送ることができる。また、賞球予定情報信号と賞球情報信号とを払出制御基板５６経由で外部端子板５３に送信する構成により、払出制御用ＣＰＵ５６ａが外部端子板５３に出力する情報１信号などの信号線とまとめたコネクタを使って賞球予定情報信号と賞球情報信号とを送ることもできる。したがって、信号線の取り回し形態の簡素化や、部品点数の削減を図ることができる。
【０１０４】
特に、払出制御基板５６は、賞球制御信号を入力した場合には、各出力条件の成立により、外部端子板５３を介してホールコンピュータＨＣに対して、賞球予定情報信号や賞球情報信号を出力することとなる。賞球予定情報信号は、払出ユニット６１により遊技球の払出動作が行われたか否かに拘わらず、予め定めた一定数単位（本実施形態では１０球）の賞球としての遊技球を払出す予定がある旨を指示する信号である。この賞球予定情報信号は、賞球制御信号の入力を契機に計数された賞球予定球数（払出予定球数）が一定数（規定数）以上となった場合にオンとなり、その賞球予定球数が一定数未満となった場合にオフとなる。その一方で、賞球情報信号は、予め定めた一定数単位（本実施形態では１０球）の賞球としての遊技球の払出した旨を指示する信号である。この賞球情報信号は、一定数単位の賞球としての遊技球の払出しが完了した場合にオンとなり、払出しが完了していない場合にオフとなる。また、これら賞球予定情報信号、賞球情報信号は、貸出指示に伴う賞球数を含まずに、各種の入賞口への入賞に伴う賞球数を示す信号である。
【０１０５】
以下、本実施形態において主制御基板５４の主制御用ＣＰＵ５４ａや払出制御基板５６の払出制御用ＣＰＵ５６ａ等が実行する制御内容を図８〜図１０のフローチャートを参照して以下に説明する。なお、図８〜図１０のフローチャートには、各種ＣＰＵが実行する制御内容の中でも、エラー報知に係る制御に関連する制御内容を示しており、これらの処理を中心に説明する。
【０１０６】
まず、メイン処理について以下に説明する。
本実施形態のパチンコ遊技機では、電源の投入に伴って、主制御用ＣＰＵ５４ａは、リセット信号が入力されると、タイマ割込み処理の割込みを禁止するとともに、ＣＰＵ内蔵のＲＷＭのアクセスを許可し、さらにＣＰＵ周辺デバイスとウォッチドッグタイマの初期設定を行い、電源投入時に必要な各種設定を行う。次に、主制御用ＣＰＵ５４ａは、ＲＷＭクリアスイッチＲＣＳの設定に応じて初期化を行うか否かと、正常にバックアップが行われているか否かと、を判定する。主制御用ＣＰＵ５４ａは、初期化を行う、又は、正常にバックアップが行われていないと判定した場合、主制御用ＲＷＭ５４ｃに記憶されているバックアップデータを消去し、初期値に基づき初期化時の処理を行う。その一方で、主制御用ＣＰＵ５４ａは、初期化を行わず、正常にバックアップが行われていると判定した場合、バックアップデータの設定値に基づき復電時の処理を行う。
【０１０７】
その一方で、払出制御基板５６においても同じように、電源の投入に伴って、払出制御用ＣＰＵ５６ａは、リセット信号が入力されると、タイマ割込み処理の割込みを禁止するとともに、ＣＰＵ内蔵のＲＷＭのアクセスを許可し、さらにＣＰＵ周辺デバイスとウォッチドッグタイマの初期設定を行い、電源投入時に必要な各種設定を行う。次に、払出制御用ＣＰＵ５６ａは、ＲＷＭクリアスイッチＲＣＳの設定に応じて初期化を行うか否かと、正常にバックアップが行われているか否かとを判定する。払出制御用ＣＰＵ５６ａは、初期化を行う、又は、正常にバックアップが行われていないと判定した場合、払出制御用ＲＷＭ５６ｃに記憶されているバックアップデータを消去し、初期値に基づき初期化時の処理を行う。その一方で、払出制御用ＣＰＵ５６ａは、初期化を行わず、正常にバックアップが行われていると判定した場合、バックアップデータの設定値に基づき復電時の処理を行う。
【０１０８】
特別図柄入力処理について以下に説明する。
最初に、主制御用ＣＰＵ５４ａは、第１始動口スイッチＳＷ１から検知信号を入力しているか否かに基づいて、第１始動入賞口３７に遊技球が入賞したか否かを判定する。この判定結果が肯定の場合、主制御用ＣＰＵ５４ａは、主制御用ＲＷＭ５４ｃに記憶されている第１保留記憶数が上限数の「４」未満であるか否かを判定する。第１保留記憶数が「４」未満である場合、主制御用ＣＰＵ５４ａは、第１保留記憶数を「１」加算する。第１保留記憶数を更新（「１」加算）した主制御用ＣＰＵ５４ａは、更新後（加算後）の第１保留記憶数を表示するように第１特別図柄保留表示装置３５ａの表示内容を制御する。次に、主制御用ＣＰＵ５４ａは、各種乱数の値（本実施形態では当り判定用乱数の値など）を主制御用ＲＷＭ５４ｃから読み出して取得し、該値を第１保留記憶数に対応する主制御用ＲＷＭ５４ｃの所定の記憶領域に設定する。その後、主制御用ＣＰＵ５４ａは、特別図柄入力処理を終了する。
【０１０９】
その一方で、第１始動入賞口３７に遊技球が入賞しない場合、又は第１始動入賞口３７に遊技球が入賞したが第１保留記憶数が「４」未満でない場合、主制御用ＣＰＵ５４ａは、第２始動口スイッチＳＷ２から検知信号を入力しているか否かに基づいて、第２始動入賞口３８に遊技球が入賞したか否かを判定する。この判定結果が肯定の場合、主制御用ＣＰＵ５４ａは、主制御用ＲＷＭ５４ｃに記憶されている第２保留記憶数が上限数の「４」未満であるか否かを判定する。第２保留記憶数が「４」未満でない場合、主制御用ＣＰＵ５４ａは、特別図柄入力処理を終了する。一方、第２保留記憶数が「４」未満である場合、主制御用ＣＰＵ５４ａは、第２保留記憶数を「１」加算する。第２保留記憶数を更新（「１」加算）した主制御用ＣＰＵ５４ａは、更新後（加算後）の第２保留記憶数を表示するように第２特別図柄保留表示装置３５ｂの表示内容を制御する。次に、主制御用ＣＰＵ５４ａは、各種乱数の値（本実施形態では当り判定用乱数の値など）を主制御用ＲＷＭ５４ｃから読み出して取得し、該値を第２保留記憶数に対応する主制御用ＲＷＭ５４ｃの所定の記憶領域に設定する。その後、主制御用ＣＰＵ５４ａは、特別図柄入力処理を終了する。
【０１１０】
次に、特別図柄開始処理について以下に説明する。
最初に、主制御用ＣＰＵ５４ａは、変動ゲームの実行中、又は大当り遊技中か否かの実行条件を判定する。この判定結果が肯定（変動ゲーム中、又は当り遊技中である）の場合、主制御用ＣＰＵ５４ａは、特別図柄開始処理を終了する。
【０１１１】
その一方で、この判定結果が否定（変動ゲーム中ではなく、かつ大当り遊技中ではない）の場合、主制御用ＣＰＵ５４ａは、主制御用ＲＷＭ５４ｃに記憶されている第２保留記憶数が「０」よりも大きいか否かを判定する第２保留判定処理を実行する。第２保留記憶数が「１」以上の場合、第２保留記憶数を「１」減算し、更新後（減算後）の第２保留記憶数を表示するように第２特別図柄保留表示装置３５ｂの表示内容を制御する。そして、主制御用ＣＰＵ５４ａは、第２大当り判定処理を実行する。
【０１１２】
その一方で、主制御用ＣＰＵ５４ａは、第２保留記憶数が「０」である場合、主制御用ＲＷＭ５４ｃに記憶されている第１保留記憶数が「０」よりも大きいか否かを判定する第１保留判定処理を実行する。第１保留記憶数が「１」以上の場合、第１保留記憶数を「１」減算し、更新後（減算後）の第１保留記憶数を表示するように第１特別図柄保留表示装置３５ａの表示内容を制御する。そして、主制御用ＣＰＵ５４ａは、第１大当り判定処理を実行する。
【０１１３】
このように、主制御用ＣＰＵ５４ａは、第１保留記憶数及び第２保留記憶数の両方が「１」以上である場合、第２大当り判定処理を優先して行うことによって、第２変動ゲームを優先的に実行させることとなる。
【０１１４】
第１大当り判定処理において、主制御用ＣＰＵ５４ａは、第１保留記憶数に対応付けられて主制御用ＲＷＭ５４ｃの所定の記憶領域に記憶されている当り判定用乱数の値を読み出す。続いて、主制御用ＣＰＵ５４ａは、第１保留記憶数に対応付けられた当り判定用乱数の値と大当り判定値を比較し、両値が一致するか否かの大当り判定をする。
【０１１５】
この大当り判定の判定結果が肯定の場合、主制御用ＣＰＵ５４ａは、大当りとなる変動ゲームであることを示す大当りフラグに「１」を設定し、大当りとなる変動ゲームを実行させるための第１大当り時変動処理を実行する。第１大当り時変動処理において主制御用ＣＰＵ５４ａは、第１保留記憶数に対応付けられた特図振分乱数の値を主制御用ＲＷＭ５４ｃから読み出し、該特図振分乱数の値に基づいて、第１特別図柄表示装置３４ａに確定停止表示させる特図（最終停止図柄）として大当り図柄を決定し、大当り図柄に対応する大当りの種類を決定することとなる。続いて、主制御用ＣＰＵ５４ａは、大当り変動用変動パターンの中から何れかを選択し、決定する。その後、主制御用ＣＰＵ５４ａは、特別図柄開始処理を終了する。
【０１１６】
その一方で、上記大当り判定の判定結果が否定の場合、主制御用ＣＰＵ５４ａは、第１保留記憶数に対応付けられたリーチ判定用乱数の値を読み出すとともに、リーチ判定用乱数の値とリーチ判定値を比較し、両値が一致するか否かのリーチ判定を行う。なお、リーチ判定値としては、主に、変短状態が付与されているか否か、減算後の保留記憶数等によって異なる値が定められており、リーチ演出を実行させるか否かを決定する確率が異なる場合がある。
【０１１７】
このリーチ判定の判定結果が肯定の場合、主制御用ＣＰＵ５４ａは、リーチ判定に当選したことから、はずれリーチ変動となる変動ゲームを実行させるための第１リーチ時変動処理を実行する。第１リーチ時変動処理において主制御用ＣＰＵ５４ａは、第１特別図柄表示装置３４ａに確定停止表示させる特図としてはずれ図柄を決定するとともに、はずれリーチ変動用変動パターンの中から何れかを選択し、決定する。その後、主制御用ＣＰＵ５４ａは、特別図柄開始処理を終了する。
【０１１８】
その一方で、リーチ判定の判定結果が否定の場合、主制御用ＣＰＵ５４ａは、リーチ判定に当選しなかったことから、はずれ変動となる変動ゲームを実行させるための第１はずれ時変動処理を実行する。第１はずれ時変動処理において主制御用ＣＰＵ５４ａは、第１特別図柄表示装置３４ａに確定停止表示させる特図としてはずれ図柄を決定する。続いて、主制御用ＣＰＵ５４ａは、はずれ変動用変動パターンの中から何れかを選択し、決定する。その後、主制御用ＣＰＵ５４ａは、特別図柄開始処理を終了する。
【０１１９】
その一方で、第２大当り判定処理において、主制御用ＣＰＵ５４ａは、第２保留記憶数に対応付けられて主制御用ＲＷＭ５４ｃの所定の記憶領域に記憶されている当り判定用乱数の値を読み出す。続いて、主制御用ＣＰＵ５４ａは、第２保留記憶数に対応付けられた当り判定用乱数の値と大当り判定値を比較し、両値が一致するか否かの大当り判定をする。
【０１２０】
この大当り判定の判定結果が肯定の場合、主制御用ＣＰＵ５４ａは、大当りとなる変動ゲームであることを示す大当りフラグに「１」を設定し、大当りとなる変動ゲームを実行させるための第２大当り時変動処理を実行する。第２大当り時変動処理において主制御用ＣＰＵ５４ａは、第２保留記憶数に対応付けられた特図振分乱数の値を主制御用ＲＷＭ５４ｃから読み出し、該特図振分乱数の値に基づいて、第２特別図柄表示装置３４ｂに確定停止表示させる特図（最終停止図柄）として大当り図柄を決定する。続いて、主制御用ＣＰＵ５４ａは、大当り変動用変動パターンの中から何れかを選択し、決定する。その後、主制御用ＣＰＵ５４ａは、特別図柄開始処理を終了する。
【０１２１】
その一方で、上記大当り判定の判定結果が否定の場合、主制御用ＣＰＵ５４ａは、当り判定用乱数の値と小当り判定値を比較し、両値が一致するか否かの小当り判定をする。
この小当り判定の判定結果が肯定の場合、主制御用ＣＰＵ５４ａは、小当りとなる変動ゲームであることを示す小当りフラグに「１」を設定し、小当りとなる変動ゲームを実行させるための第２小当り時変動処理を実行する。第２小当り時変動処理において主制御用ＣＰＵ５４ａは、第２保留記憶数に対応付けられた特図振分乱数の値を主制御用ＲＷＭ５４ｃから読み出し、該特図振分乱数の値に基づいて、第２特別図柄表示装置３４ｂに確定停止表示させる特図として小当り図柄を決定し、小当り変動用変動パターンの中から何れかを選択し、決定する。その後、主制御用ＣＰＵ５４ａは、特別図柄開始処理を終了する。
【０１２２】
その一方で、上記小当り判定の判定結果が否定の場合、主制御用ＣＰＵ５４ａは、当り判定用乱数の値が大当り又は小当りとなる値ではないことからはずれを特定する。このため、主制御用ＣＰＵ５４ａは、第２保留記憶数に対応付けられたリーチ判定用乱数の値を読み出すとともに、リーチ判定用乱数の値とリーチ判定値を比較し、両値が一致するか否かのリーチ判定を行う。
【０１２３】
このリーチ判定の判定結果が肯定の場合、主制御用ＣＰＵ５４ａは、リーチ判定に当選したことから、はずれリーチ変動となる変動ゲームを実行させるための第２リーチ時変動処理を実行する。第２リーチ時変動処理において主制御用ＣＰＵ５４ａは、第２特別図柄表示装置３４ｂに確定停止表示させる特図としてはずれ図柄を決定するとともに、はずれリーチ変動用変動パターンの中から何れかを選択し、決定する。その後、主制御用ＣＰＵ５４ａは、特別図柄開始処理を終了する。
【０１２４】
その一方で、リーチ判定の判定結果が否定の場合、主制御用ＣＰＵ５４ａは、リーチ判定に当選しなかったことから、はずれ変動となる変動ゲームを実行させるための第２はずれ時変動処理を実行する。第２はずれ時変動処理において主制御用ＣＰＵ５４ａは、第２特別図柄表示装置３４ｂに確定停止表示させる特図としてはずれ図柄を決定する。続いて、主制御用ＣＰＵ５４ａは、はずれ変動用変動パターンの中から何れかを選択し、決定する。その後、主制御用ＣＰＵ５４ａは、特別図柄開始処理を終了する。
【０１２５】
その後、特別図柄開始処理とは別の処理において、主制御用ＣＰＵ５４ａは、特別図柄開始処理において決定した決定事項にしたがって生成した制御コマンドを所定のタイミングで統括制御基板７０（統括制御用ＣＰＵ７０ａ）に出力する。具体的に、主制御用ＣＰＵ５４ａは、変動パターンを指示するとともに変動ゲームの開始を指示する変動パターン指定コマンドを変動ゲームの開始に際して最初に出力する。また、主制御用ＣＰＵ５４ａは、特図を指定する特図用の特図指定コマンドを変動パターン指定コマンドの出力後、次に出力する。また、主制御用ＣＰＵ５４ａは、特図の確定停止表示に際して全図柄停止コマンドを統括制御基板７０に出力する。
【０１２６】
このように、主制御用ＣＰＵ５４ａは、大当り遊技を決定した場合、決定した変動パターンに基づく変動ゲームの終了後、最終停止図柄に基づいて特定された種類の大当り遊技の制御を開始し、統括制御基板７０の統括制御用ＣＰＵ７０ａに対し、所定の制御コマンドを所定のタイミングで出力する。主制御用ＣＰＵ５４ａは、変動ゲームが終了すると、オープニングコマンドを出力する。また、主制御用ＣＰＵ５４ａは、ラウンドの開始毎にラウンドコマンドを出力する。また、主制御用ＣＰＵ５４ａは、最後のラウンドのラウンド遊技が終了すると、インターバル時間の経過後にエンディングコマンドを出力する。そして、主制御用ＣＰＵ５４ａは、エンディング時間の経過後、大当りフラグに「０」を設定し（クリアし）、大当り遊技を終了させる。なお、主制御用ＣＰＵ５４ａは、大当りに当選した場合、第１大入賞口４０を開放させるときに、開放信号を出力し、第１大入賞口４０を閉鎖させるときに、閉鎖信号を出力する。
【０１２７】
また、主制御用ＣＰＵ５４ａは、小当り遊技を決定した場合、大当り遊技を決定した場合におけるオープニングコマンド、ラウンドコマンド、エンディングコマンドと同じようにコマンドを出力する。そして、主制御用ＣＰＵ５４ａは、エンディング時間の経過後、小当りフラグに「０」を設定し（クリアし）、小当り遊技を終了させる。なお、主制御用ＣＰＵ５４ａは、小当りに当選した場合、第２大入賞口４１を開放させるときに、開放信号を出力し、第２大入賞口４１を閉鎖させるときに、閉鎖信号を出力する。
【０１２８】
また、主制御用ＣＰＵ５４ａは、小当り遊技が開始されてから規定時間が経過した場合には、特定領域ソレノイドＳＯＬ４に開放信号を出力し、開閉片４５を変位させ、特定領域４３を開放させる。そして、主制御用ＣＰＵ５４ａは、特定領域４３が開放されてから所定時間（開放時間）が経過した場合には、特定領域ソレノイドＳＯＬ４に閉鎖信号を出力し、開閉片４５を変位させ、特定領域４３を閉鎖させる。
【０１２９】
また、小当り遊技中において、主制御用ＣＰＵ５４ａは、特定領域スイッチＳＷ６からの入賞信号に基づいて遊技球が特定領域４３を通過したと判定した場合、大当りフラグに「１」を設定し、小当り遊技の終了後、大当り抽選に当選したことに伴う大当り遊技と同じように大当り遊技を行うこととなる。なお、本実施形態において、特定領域４３に遊技球が通過した場合に付与される第２変動ゲームの大当りの種類としては、第２始動入賞口３８に遊技球が入賞したときに抽出された特図振分乱数に基づいて決定される。その一方で、主制御用ＣＰＵ５４ａは、特定領域スイッチＳＷ６からの入賞信号に基づいて遊技球が特定領域４３を通過していないと判定した場合、小当り遊技の終了後、大当り遊技を開始させることなく、遊技状態を維持して次の変動ゲームを行うこととなる。
【０１３０】
また、主制御用ＣＰＵ５４ａは、作動フラグの制御により、変短状態に関する遊技状態の制御を行うこととなる。具体的には、主制御用ＣＰＵ５４ａは、当り遊技の種類に拘わらず、大当り遊技の開始時に、作動フラグをクリアする（「０」を設定する）。
【０１３１】
また、主制御用ＣＰＵ５４ａは、大当り遊技の終了後に、当選した大当りの種類に基づいて、変短状態を付与するか否かを決定し、変短状態を付与する場合には、変短状態を付与することを示す作動フラグに「１」を設定する一方、変短状態を付与しない場合には、作動フラグに「０」を設定する。なお、本実施形態においては、決定された特図に対応する当りの種類と、当選時の遊技状態とに基づいて、変短状態が付与されるか否かが決定される。そして、主制御用ＣＰＵ５４ａは、作動フラグに対応する変短指定コマンドを統括制御基板７０に出力する。変短指定コマンドは、変短状態が付与されているか否かを示すコマンドである。
【０１３２】
次に、普図ゲームに関する普通図柄入力処理について以下に説明する。
普通図柄入力処理において、主制御用ＣＰＵ５４ａは、遊技球が作動ゲート３９を通過したと判定した場合、主制御用ＲＷＭ５４ｃに記憶されている普図保留記憶数が上限数の「４」未満であるか否かを判定する。そして、その判定結果が肯定（普図保留記憶数＜「４」）の場合、主制御用ＣＰＵ５４ａは、普図保留記憶数を「１」加算し、普図保留記憶数を書き換える。続いて、主制御用ＣＰＵ５４ａは、普通当り判定用乱数の値を主制御用ＲＷＭ５４ｃから読み出して取得し、該値を普図保留記憶数に対応付けられた主制御用ＲＷＭ５４ｃの所定の記憶領域に設定し、普通図柄入力処理を終了する。
【０１３３】
次に、主制御用ＣＰＵ５４ａは、以下のような処理を所定の制御周期（本実施形態では、４ｍｓ）毎に実行する。主制御用ＣＰＵ５４ａは、まず、普図が変動表示中又は普通当り遊技中ではない場合において、読み出した普図保留記憶数が「０」よりも大きいときには、普図保留記憶数の数を「１」減算し、当該普図保留記憶数に対応付けられて主制御用ＲＷＭ５４ｃの所定の記憶領域に記憶されている普通当り判定用乱数の値を取得する。そして、主制御用ＣＰＵ５４ａは、取得した普通当り判定用乱数の値が主制御用ＲＯＭ５４ｂに記憶されている普通当り判定値と一致するか否かを判定して普通当り判定を行い、判定結果に対応する普図を、普通図柄表示装置３６にて確定停止表示される最終停止図柄として決定する。そして、主制御用ＣＰＵ５４ａは、普図の変動表示を開始させるように普通図柄表示装置３６の表示内容を制御するなど、普図ゲームに関する各種処理を実行する。
【０１３４】
そして、主制御用ＣＰＵ５４ａは、普通当りを決定した場合、普図ゲームの終了後、普通当り遊技に関する制御を実行する。また、主制御用ＣＰＵ５４ａは、普図ゲームが開始したときに変短状態が付与されているか否かによって異なる開放態様にて、開閉扉３８ｂを開放させるよう普通電動役物ソレノイドＳＯＬ１を制御する。
【０１３５】
なお、本実施形態において、主制御用ＣＰＵ５４ａは、変短状態が付与されているか否かに応じた普図ゲームの変動パターンを選択し、決定する。これにより、主制御用ＣＰＵ５４ａは、変短状態では、非変短状態よりも普図ゲームの変動時間を短くさせるよう制御するとともに、１回の普通当りに対応する合計開放時間を長く開放させるよう制御する。
【０１３６】
次に、主制御用ＣＰＵ５４ａによって実行されるエラー検知時処理について図８を参照して以下に説明する。このエラー検知時処理は、エラーに関連する検知を行ったときに実行される処理であり、主制御用ＣＰＵ５４ａは、本処理を所定周期毎に実行するようになっている。
【０１３７】
図８に示すように、主制御用ＣＰＵ５４ａは、各種信号の入力に基づいて、エラー状態を検知したか否かを判定する（ステップＳ１０１）。具体的な一例としては、主制御用ＣＰＵ５４ａは、主制御中継端子板５８を介して入力される電源基板５５からのＲＷＭクリア信号がオンとなった状態で、リセット信号がオンとなったときには、ＲＷＭクリアを検知したと判定する。また、主制御用ＣＰＵ５４ａは、磁気センサＳＥ１により所定の強さ以上の磁気が検知され、磁気センサＳＥ１からの磁気検知信号がオンとなったときには、磁気エラーを検知したと判定する。
【０１３８】
また、主制御用ＣＰＵ５４ａは、大当り遊技中であるか否かを判定し、大当り遊技中ではない通常の遊技中であると判定した場合において、第１大入賞口４０に遊技球が入賞し、第１カウントスイッチＳＷ３からの入賞信号がオンとなったときには、第１大入賞口不正入賞エラーを検知したと判定する。また、主制御用ＣＰＵ５４ａは、小当り遊技中であるか否かを判定し、小当り遊技中ではない通常の遊技中であると判定した場合において、第２大入賞口４１に遊技球が入賞し、第２カウントスイッチＳＷ４からの入賞信号がオンとなったときには、第２大入賞口不正入賞エラーを検知したと判定する。また、主制御用ＣＰＵ５４ａは、開閉扉３８ｂが閉鎖しており、開閉扉３８ｂの閉鎖動作から一定時間が経過したか否かを判定し、肯定と判定した場合において、第２始動口スイッチＳＷ２からの入賞信号がオンとなったときには、普通電動役物不正入賞エラーを検知したと判定する。また、主制御用ＣＰＵ５４ａは、主制御中継端子板５８を介して入力される払出制御基板５６からの扉開放信号がオンとなったときには、扉開放を検知したと判定する。
【０１３９】
また、主制御用ＣＰＵ５４ａは、各スイッチＳＷ１〜ＳＷ７のうち何れかからの入賞信号が規定時間を越えて連続してオンとなったときには、役物内球詰まりエラーを検知したと判定する。また、主制御用ＣＰＵ５４ａは、第２大入賞口４１における第２カウントスイッチＳＷ４からの入賞信号がオンとなってから、所定時間が経過しても、特定領域スイッチＳＷ６、一般領域スイッチＳＷ７のうち何れかからの入賞信号がオンとならないときにも、役物内球詰まりエラーを検知したと判定する。このように、各スイッチＳＷ１〜ＳＷ７からの検知信号（検知結果）に基づいて各入賞口３７〜４１の少なくとも何れかに入賞した遊技球が残存しているか否かを判定する主制御用ＣＰＵ５４ａが第１判定手段に相当する。
【０１４０】
特に、主制御用ＣＰＵ５４ａは、図９の振動検知エラー制御処理を実行することによって、振動検知エラーであるか否かを検知することとなる。図９に示すように、主制御用ＣＰＵ５４ａは、振動検知センサＳＥ３からの振動検知信号がオンとなっているか否かによって、所定の強度以上の振動が検知されたか否かを判定する（ステップＳ１１１）。
【０１４１】
主制御用ＣＰＵ５４ａは、所定の強度以上の振動が検知されたと判定した場合には、役物内球詰まりエラー中であるか否かを判定する（ステップＳ１１２）。そして、主制御用ＣＰＵ５４ａは、役物内球詰まりエラー中であると判定した場合には、振動検知エラーが発生していることを示すデータを主制御用ＲＷＭ５４ｃに設定する振動検知エラー設定処理を実行し（ステップＳ１１３）、本処理を終了する。その一方で、主制御用ＣＰＵ５４ａは、所定の強度以上の振動が検知されていない、又は、役物内球詰まりエラー中ではないと判定した場合には、ステップＳ１１３を実行せずに、振動検知エラーが発生していることを示すデータを主制御用ＲＷＭ５４ｃに設定することなく、本処理を終了する。つまり、本実施形態において、所定の強度以上の振動が検知された場合であっても、役物内球詰まりエラー中でなければ、振動検知エラーが検知されず、役物内球詰まりエラー中であって始めて、振動検知エラーが検知されることとなる。このように、振動検知センサＳＥ３からの振動検知信号（検知結果）に基づいて所定の強度以上（特定）の振動が検知されたか否かを判定する主制御用ＣＰＵ５４ａが第２判定手段に相当する。
【０１４２】
ここで説明を戻し、図８のステップＳ１０１の判定結果が否定の場合（エラー状態を検知していない）、主制御用ＣＰＵ５４ａは、ステップＳ１０２〜Ｓ１０５を実行することなく、エラー検知時処理を終了する。その一方で、ステップＳ１０１の判定結果が肯定の場合（エラー状態を検知した）、主制御用ＣＰＵ５４ａは、検知したエラーの種類を特定可能なエラー情報を主制御用ＲＷＭ５４ｃに記憶し、ステップＳ１０２に移行する。なお、本実施形態において、主制御用ＣＰＵ５４ａは、エラー情報を重複しないように主制御用ＲＷＭ５４ｃに記憶することとなる。
【０１４３】
ステップＳ１０２において、主制御用ＣＰＵ５４ａは、主制御用ＲＷＭ５４ｃに記憶されたエラー情報に基づいて、特定のエラー状態を検知したか否かを判定する。本実施形態において、この特定のエラー状態としては、ＲＷＭクリアと、磁気エラーと、誘導磁界検知エラーと、振動検知エラーと、第１大入賞口不正入賞エラーと、第２大入賞口不正入賞エラーと、普通電動役物不正入賞エラーとが該当し、主なる非特定のエラーとしては、役物内球詰まりエラーと、扉開放と、満杯エラーと、賞球エラーとが該当する。ステップＳ１０２の判定結果が否定の場合（特定状態のエラーを検知していない）、主制御用ＣＰＵ５４ａは、ステップＳ１０３，Ｓ１０４を実行することなく、ステップＳ１０５に移行する。その一方で、ステップＳ１０２の判定結果が肯定の場合（特定のエラー状態を検知した）、主制御用ＣＰＵ５４ａは、ステップＳ１０３に移行する。
【０１４４】
ステップＳ１０３において、主制御用ＣＰＵ５４ａは、エラー状態が検知されない状態から検知された状態となったことを示すセキュリティ情報出力回数（判定回数）を計数するセキュリティ情報出力回数計数処理を実行する。特に、主制御用ＣＰＵ５４ａは、同じ規定周期に伴って複数のエラーが検知された場合であっても、それぞれで共通してセキュリティ情報出力回数を１回として計数することとなる。そして、主制御用ＣＰＵ５４ａは、計数したセキュリティ情報出力回数を、主制御用ＲＷＭ５４ｃに割り当てられたセキュリティ情報出力カウンタに記憶するセキュリティ情報出力回数記憶処理を実行し（ステップＳ１０４）、ステップＳ１０５に移行する。
【０１４５】
ステップＳ１０５において、主制御用ＣＰＵ５４ａは、遊技機においてエラーに関する報知を行うためのエラー指定コマンド設定処理を実行し、エラー検知時処理を終了する。なお、本実施形態におけるエラー指定コマンドとしては、図６に示すエラー状態の種類を特定可能なコマンドである。
【０１４６】
その後、エラー検知時処理とは別の処理において、主制御用ＣＰＵ５４ａは、エラー指定コマンドを所定のタイミングで統括制御基板７０（統括制御用ＣＰＵ７０ａ）に出力する。これによって、統括制御用ＣＰＵ７０ａは、エラー指定コマンドにより指定されるエラー状態の種類に対応する信号を、枠用ランプ部１７、スピーカ２０、演出表示装置３３に出力することによって、エラー状態の種類に対応する報知態様のエラー報知を、枠用ランプ部１７、スピーカ２０、演出表示装置３３に行わせる制御を行うこととなる。
【０１４７】
特に、統括制御用ＣＰＵ７０ａは、エラー指定コマンドに基づいて、複数種類のエラー状態が検知されているときには、それら複数種類のエラーの優先順位を判定し、優先順位が高くないと判定されたエラーに関する報知を行なわせずに、優先順位が最も高いと判定されたエラーに関する報知を優先して行わせる制御を行うこととなる。
【０１４８】
また、主制御用ＣＰＵ５４ａは、エラー状態の検知が解除されたときには、エラー解除指定コマンドを所定のタイミングで統括制御基板７０（統括制御用ＣＰＵ７０ａ）に出力する。これによって、統括制御用ＣＰＵ７０ａは、エラー状態に関する信号を、枠用ランプ部１７、スピーカ２０、演出表示装置３３に出力することなく、枠用ランプ部１７、スピーカ２０、演出表示装置３３におけるエラー報知の実行を終了させる制御を行うこととなる。
【０１４９】
特に、統括制御用ＣＰＵ７０ａは、複数種類のエラー状態が検知されている場合において、最も優先順位の高いエラー状態の検知が解除されたときには、未だに検知されている一種類又は複数種類のエラー状態の優先順位を判定する。そして、統括制御用ＣＰＵ７０ａは、優先順位が高くないと判定されたエラーに関する報知を行なわせずに、優先順位が最も高いと判定されたエラーに関する報知を優先して行わせる制御を行うこととなる。なお、本実施形態において、このような処理を実行する統括制御用ＣＰＵ７０ａは、優先順位判定手段、報知制御手段に相当する。
【０１５０】
次に、主制御用ＣＰＵ５４ａによって実行されるセキュリティ情報信号出力処理について図１０を参照して以下に説明する。このセキュリティ情報信号出力処理は、払出制御基板５６に出力するセキュリティ情報に関する制御を行うための処理である。主制御用ＣＰＵ５４ａは、払出制御基板５６から供給される基本パルスがオフからオンとなる毎に本処理を実行するようになっている。なお、本実施形態においては、基本パルスのオフとオンとの切替を行う周期としては、０．０５６ｓに規定されている。
【０１５１】
図１０に示すように、主制御用ＣＰＵ５４ａは、主制御用ＲＷＭ５４ｃに記憶されたセキュリティ情報出力カウンタから値を読み出し、セキュリティ情報出力回数が「１」以上であるか否かを判定する（ステップＳ１３１）。ステップＳ１３１の判定結果が否定の場合（セキュリティ情報出力回数が「１」以上ではない）、主制御用ＣＰＵ５４ａは、ステップＳ１３２，Ｓ１３３を実行することなく、セキュリティ情報信号出力処理を終了する。その一方で、ステップＳ１３１の判定結果が肯定の場合（セキュリティ情報出力回数が「１」以上である）、主制御用ＣＰＵ５４ａは、ステップＳ１３２に移行する。
【０１５２】
ステップＳ１３２において、主制御用ＣＰＵ５４ａは、基本パルスがオフからオンとなってからオフになるまでの間、払出制御基板５６に対してセキュリティ情報信号をオンとして出力する。また、このセキュリティ情報信号は、払出制御用ＣＰＵ５６ａに入力されず、該払出制御用ＣＰＵ５６ａはセキュリティ情報信号を用いた制御を実行しない。そして、セキュリティ情報信号は、払出制御基板５６から外部端子板５３を介してホールコンピュータＨＣに出力されることとなる。
【０１５３】
そして、主制御用ＣＰＵ５４ａは、主制御用ＲＷＭ５４ｃに記憶されたセキュリティ情報出力カウンタの値を読み出し、セキュリティ情報出力回数を「１」減算するセキュリティ情報出力回数減算処理を実行し（ステップＳ１３３）、セキュリティ情報信号出力処理を終了する。つまり、この処理において、主制御用ＣＰＵ５４ａは、セキュリティ情報出力回数を、セキュリティ情報信号の出力回数分だけ減算する更新を行うこととなる。
【０１５４】
このように制御することによって、主制御用ＣＰＵ５４ａは、エラー状態が検知されたときには、該エラー状態が検知されたセキュリティ情報出力回数を計数し、セキュリティ情報出力回数が「１」以上であり、エラー状態が検知されたことが記憶されていると判定された場合に、セキュリティ情報信号をホールコンピュータＨＣに出力する。特に、主制御用ＣＰＵ５４ａは、賞球予定球数や未払出球数等の記憶内容の初期化を示すリセット信号とＲＷＭクリア信号と（初期化コマンド）が入力されたことを契機に、主制御中継端子板５８、払出制御基板５６及び外部端子板５３を介してホールコンピュータＨＣにセキュリティ情報信号を出力することとなる。なお、本実施形態において、主制御用ＣＰＵ５４ａが、判定回数計数手段、判定回数記憶手段、判定回数判定手段、出力手段、判定回数更新手段に相当する。
【０１５５】
図１１を参照して、振動検知エラーの報知と、役物内球詰まりエラーの報知との関係についての一例を説明する。
図１１（ａ）に示すように、各スイッチＳＷ１〜ＳＷ７のうち何れかからの入賞信号が規定時間を越えて連続してオンとなっていない場合には、役物内球詰まりエラーが検知されず、役物内球詰まりエラーを示すエラー報知（第１報知）も行われない。また、振動検知センサＳＥ３からの振動検知信号が入力されていない場合には、振動検知エラーが検知されず、振動検知エラーを示すエラー報知（第２報知）も行われない。
【０１５６】
図１１（ｂ）に示すように、符号Ｔ１１のタイミングから符号Ｔ１２のタイミングまで、各スイッチＳＷ１〜ＳＷ７のうち何れかからの入賞信号が規定時間を越えて連続してオンとなった場合には、役物内球詰まりエラーが検知され、第１報知が行われる。この第１報知は、役物内球詰まりエラーが検知された符号Ｔ１１のタイミングから、役物内球詰まりエラーが解消された符号Ｔ１２のタイミングまで行われる。なお、この場合、振動検知センサＳＥ３からの振動検知信号が入力されていない。このように、第１報知が行われている場合において、振動検知エラーが検知されていないときには、役物内球詰まりエラーが検知されなくなるまで第１報知が継続して行われる。
【０１５７】
図１１（ｃ）に示すように、符号Ｔ１３のタイミングから符号Ｔ１４のタイミングまで、振動検知センサＳＥ３からの振動検知信号が入力されても、各スイッチＳＷ１〜ＳＷ７の入賞信号が規定時間を越えて連続してオンとなっていないので、振動検知エラーが検知されず、第２報知も行われない。
【０１５８】
図１１（ｄ）に示すように、符号Ｔ１１のタイミングから符号Ｔ１２のタイミングまで、役物内球詰まりエラーが検知された場合において、符号Ｔ１５のタイミングから符号Ｔ１６のタイミングまで振動検知センサＳＥ３からの振動検知信号が入力されたときには、振動検知エラーが検知される。
【０１５９】
この場合、符号Ｔ１１のタイミングから符号Ｔ１５のタイミングまでは、役物内球詰まりエラーが検知され、振動検知エラーが検知されていないので、第１報知が行われる。そして、符号Ｔ１５のタイミングで振動検知エラーが検知されると、符号Ｔ１５のタイミングで第１報知が終了し、第２報知が行われる。このように、第１報知を行わせた場合において、役物内球詰まりエラーが検知されなくなる前に、振動検知エラーが検知されたときには、第２報知が行われる。なお、第２報知が行われている場合には、振動検知エラー、役物内球詰まりエラーが検知されているか否かに拘わらず、振動検知エラーが検知されてから規定時間ＴＬ（例えば３０秒）が経過するまで第２報知が継続して行われる。この場合、符号Ｔ１６のタイミングで振動検知エラーが検知されなくなったが、規定時間ＴＬが経過していないため、規定時間ＴＬが経過する符号Ｔ１７のタイミングまで第２報知が行われる。なお、規定時間ＴＬが経過しても振動検知エラーが検知されている場合には、その検知タイミングから規定時間ＴＬが経過するまで第２報知が行われる。
【０１６０】
続いて、符合Ｔ１７のタイミングで振動検知エラーが検知されなくなったが、役物内球詰まりエラーが検知されているため、役物内球詰まりエラーが解消する符号Ｔ１２のタイミングまで第１報知が行われる。なお、符合Ｔ１７のタイミングで、役物内球詰まりエラーが検知されていない場合には、第１報知と第２報知との両方が行われない。
【０１６１】
このように、役物内球詰まりエラーが検知されたことを条件として、第１報知が行われる一方で、役物内球詰まりエラーが検知され、かつ、振動検知エラーが検知された場合には、異なる報知内容の第２報知が行われる。特に、第１報知と第２報知とが重複して行われることはなく、何れか一方が行われることとなる。
【０１６２】
以上詳述したように、本実施形態は、以下の効果を有する。
（１）振動検知センサＳＥ３からの信号に基づいて所定の強度以上の振動が検知されたか否かが判定される。遊技領域Ｈ１における第２大入賞口４１を始めとする各入賞口３７〜４１の少なくとも何れかに遊技球が残存しているときには遊技が確実に行われており、その場合に、所定の強度以上の振動が検知されたか否かを判定し、振動検知エラーに関する第２報知を行う。したがって、振動による不正行為に関する検知結果について効果的な報知を行うことができる。
【０１６３】
（２）また、各入賞口３７〜４１の少なくとも何れかに遊技球が残存していることを利用して、所定の強度以上の振動により不正行為が行われるおそれがあり、その場合に、所定の強度以上の振動が検知されたか否かを判定し、第２報知を行う。したがって、振動による不正行為に関する検知結果について効果的な報知を行うことができる。
【０１６４】
（３）また、従来では、例えば、最初に検知されたエラーを報知する、又は、複数のエラーを重複させて報知するように制御していたが、遊技場の従業員や管理者等により特定し難い。特に、近年、役物内球詰まりエラーや振動検知エラーなどが重複して検知されるような不正行為も増えてきており、不正行為に関する検知結果について効果的な報知を行うことが望まれている。そこで、振動検知エラーの検知と役物内球詰まりエラーの検知とが重複して検知された場合には、振動検知エラーに関する第２報知を行わせるように構成した。このため、第２報知を行わせることによって、所定の強度以上の振動による不正行為を報知することができ、相対的に重大な不正行為を特定し易くすることができる。したがって、振動による不正行為に関する検知結果について効果的な報知を行うことができる。
【０１６５】
（４）各入賞口３７〜４１の少なくとも何れかに入賞された遊技球が残存していない状態となるまで第１報知を行わせるとともに、その第１報知が行われているときに、所定の強度以上の振動が検知されたときには第１報知を終了させ、第２報知を行わせる。各入賞口３７〜４１の少なくとも何れかに入球された遊技球を残存させることよる不正行為は、ある程度の長い時間継続させる傾向があるので、その不正行為を特定し易くすることができる。また、第１報知が行われている場合であっても第２報知を行わせることができ、相対的に重大な不正行為を特定し易くすることができる。したがって、振動による不正行為に関する検知結果について効果的な報知を行うことができる。
【０１６６】
（５）また、各入賞口３７〜４１の少なくとも何れかに入球された遊技球を残存させる第１工程、所定の強度以上の振動を施す第２工程の順に、不正行為が行われることが考えられるが、この場合、第１工程で第１報知が行われ、第２工程で第２報知が行われ、段階的に報知を行うことによって、不正行為を特定し易くすることができる。したがって、振動による不正行為に関する検知結果について効果的な報知を行うことができる。
【０１６７】
（６）振動による不正行為はある程度の短い時間で行われる傾向があるため、振動検知エラーが解消することにより第２報知を終了させず、予め定められた規定時間ＴＬが経過したことを契機として第２報知を終了させるので、その不正行為を特定し易くすることができる。また、第２報知が行われれば、その後に、遊技球が残存しているか否かに拘わらず、予め定められた規定時間ＴＬが経過するまで第２報知を行わせることができ、相対的に重大な不正行為を特定し易くすることができる。したがって、振動による不正行為に関する検知結果について効果的な報知を行うことができる。
【０１６８】
（７）役物内球詰まりエラーが検知されたとき、振動検知エラーが検知されたときには、検知されたセキュリティ情報出力回数を計数し、所定期間毎にセキュリティ情報出力回数だけセキュリティ情報信号をホールコンピュータＨＣに出力する。遊技場の係員等により特定可能となるように各種報知装置によってエラー報知が実行されるものの、遊技機自体で報知が行われるため、エラーの検知後にその分析を行う等の管理を行うことは容易なことではなかった。そこで、本実施形態のように構成することで、役物内球詰まりエラー、振動検知エラーに伴って容易に出力情報の管理を行うことができるように有用な遊技情報を出力することができる。
【０１６９】
（８）役物内球詰まりエラー、振動検知エラーが規定周期内に複数回検知された場合であっても、そのセキュリティ情報出力回数を計数し、記憶する。これによって、そのセキュリティ情報出力回数分の出力情報を出力することができ、セキュリティ情報出力回数を特定可能な有用なセキュリティ情報信号（遊技情報）をホールコンピュータＨＣに出力することができるとともに、設計者の所望とする規定周期でセキュリティ情報信号の出力周期を制御することができる。例えば、セキュリティ情報信号を出力する間隔よりも短い時間に、各種のスイッチ・センサを何回も誤動作させる不正が行われることがあり、その場合に本発明を適用することは好適である。
【０１７０】
尚、上記実施形態は、次のような別の実施形態（別例）にて具体化できる。
・上記実施形態において、振動検知センサＳＥ３として加速度センサを用いて遊技盤ＹＢの加速度を検知したが、これに限らず、例えば、外枠１２、中枠、前枠１６など、パチンコ遊技機１０の枠体の加速度を検知するように構成してもよい。また、例えば、振動が検知される場合、所定の強度以上の振動が検知された時間や回数によって、振動エラー状態であるか否かを判定してもよい。また、振動の振幅や速度を検知する振動検知センサを用いてもよい。
【０１７１】
・上記実施形態において、演出に関するランプ演出が実行可能な枠用ランプ部１７を用いて、ランプ演出とは異なる態様でエラー報知を行ったが、これに限らず、例えば、演出に関するランプと、エラー報知を行うランプとを別体に構成してもよい。
【０１７２】
・上記実施形態において、ホールコンピュータＨＣに対するセキュリティ情報信号の１回の出力毎にセキュリティ情報出力回数を「１」減算したが、これに限らず、例えば、ホールコンピュータＨＣに対するセキュリティ情報信号の複数回の出力毎にセキュリティ情報出力回数を当該複数回だけ減算するように構成してもよい。
【０１７３】
・上記実施形態において、１系統のセキュリティ情報信号をホールコンピュータＨＣに出力したが、これに限らず、例えば、２系統以上のセキュリティ情報信号を出力してもよい。この場合、複数系統のセキュリティ情報を複数本の信号線を用いてホールコンピュータＨＣに出力しても、１本の信号線を用いてホールコンピュータＨＣに出力してもよい。具体的な一例としては、２系統のセキュリティ情報を１本の信号線を用いて出力する場合には、例えば、オンとなる時間を、第１エラー状態を示すセキュリティ情報信号と、第２エラー状態を示すセキュリティ情報信号とで異ならせるようにすることで、ホールコンピュータＨＣも、第１エラー状態と第２エラー状態との何れであるかが特定可能となる。
【０１７４】
・上記実施形態において、複数種類のエラー状態に優先順位が規定されており、検知されたエラー状態のうち優先順位が最も高い１種類のエラー状態に関するエラー報知を優先して行う構成としたが、これに限らず、例えば、検知されたエラー状態のうち、優先順位が高い２種類以上（複数種類）のエラー状態に関するエラー報知を行ってもよい。また、例えば、２種類のエラー状態を第１エラー状態と第２エラー状態とすると、第１エラー状態と第２エラー状態との分類については、優先順位に限らず、エラー状態の種類を問わない。例えば、振動検知エラー等の特定エラー状態を第１エラー状態として、それ以外のエラー状態を第２エラー状態として、報知を行い、セキュリティ情報１信号とセキュリティ情報２信号とを出力してもよい。また、例えば、検知されたエラー状態のうち、相対的な優先順位によって、報知態様が異なってもよい。具体的には、複数種類のエラー状態が検知された場合に、それら複数種類のエラー状態のなかで優先順位が最も高いエラー報知はそのまま報知を行うが、それ以外のエラー報知については、通常時よりも認識し難い態様でエラー報知を行うように構成してもよい。また、例えば、優先順位が規定されていなくてもよく、エラー報知を行わない構成であってもよい。
【０１７５】
・上記実施形態において、第２始動入賞口３８や各大入賞口４０，４１に予め規定された期間に遊技球が入賞した場合に、各種エラーであると判定したが、これに限らない。例えば、予め規定された期間ではない場合であっても、第２始動入賞口３８や各大入賞口４０，４１に入賞した遊技球の個数が規定個数以上となった場合に、各種エラーであると判定してもよい。また、これらは、その検知時における遊技状態や大当りの種類によって、各種エラーであるか否かを判定してもよい。具体的な一例としては、第２始動入賞口３８の開放制御が行われる期間において、不正が行われないと入賞しない個数が規定個数として規定されており、その規定個数以上となったときに、普通電動役物不正入賞エラーであると判定される。この場合、第２始動入賞口３８が短時間開放される遊技状態（例えば、通常状態）と、長時間開放される遊技状態（変短状態）とで異なる規定個数が規定されていてもよい。また、例えば、各大入賞口４０，４１については、各大入賞口４０，４１にほとんど入賞しない当り遊技（短時間開放当り遊技）と、それよりも多くの遊技球が入賞する当り遊技（長時間開放当り遊技）とで、異なる規定個数が規定されていてもよい。
【０１７６】
・上記実施形態において、報知手段の異常を検知する報知異常検知手段を備え、報知異常検知手段からの信号に基づいて、報知エラー状態であると判定し、セキュリティ情報信号として出力してもよい。また、このセキュリティ情報信号は、ホールコンピュータＨＣに出力しても、パチンコ遊技機１０の外部に配設される表示装置に出力してもよい。従来においては、エラー状態が検知された場合には、パチンコ遊技機に配設された報知手段でエラー報知を行なわせたが、報知手段までの信号線を断線させるなど、報知手段に異常を発生させた後に、別の不正を行うおそれがあった。例えば、統括制御基板７０から枠用ランプ部１７やスピーカ２０までの信号線、表示制御基板７２から演出表示装置３３までの信号線を断線させて、パチンコ遊技機１０におけるエラー報知を行なわせることなく、別の不正を行うようなことがある。この断線を検知する報知異常検知手段（断線検知手段）を備え、各種制御基板におけるＣＰＵが、報知エラー状態であると判定するように構成してもよい。この場合、報知異常検知手段の具体的な一例としては、報知手段から所定周期で出力される信号が入力されなくなったことを各種制御基板におけるＣＰＵが検知するように構成してもよい。
【０１７７】
・上記実施形態において、エラー状態が検知されたときには、該エラー状態が検知されたことを示すセキュリティ情報出力回数（セキュリティ情報１出力回数、セキュリティ情報２出力回数）を計数し、記憶したが、これに限らず、計数や記憶を行わないように構成してもよい。
【０１７８】
・上記実施形態において、基本パルスがオンとなっている間に各種の遊技情報をオンとするように構成したが、これに限らず、例えば、基本パルスがオフからオンとなったことを契機に、基本パルスがオンからオフになったか否かに拘わらず、所定時間、各種の遊技情報をオンとするように構成してもよい。また、情報信号の種類によってオンとする時間を異ならせてもよい。また、例えば、エラー状態の種類によってオンとする時間を異ならせてもよい。
【０１７９】
・上記実施形態において、払出制御基板５６が、予め定められた規定周期で基本パルスを生成したが、これに限らず、例えば、主制御基板５４が、基本パルスを生成してもよく、それら以外の基板が基本パルスを生成してもよい。また、同期をとることができるのであれば、１つの基板ではなくても、複数の基板で基本パルスを生成してもよい。
【０１８０】
・上記実施形態において、基本パルスがオフからオンになったことを契機に各種信号を、外部端子板５３を介してホールコンピュータＨＣに対して出力したが、これに限らず、例えば、基本パルスがオンからオフとなったことを契機としてもよい。また、例えば、基本パルスに拘わらず、各種信号をホールコンピュータＨＣに出力してもよい。
【０１８１】
・上記実施形態において、カードユニット装置１１を接続しないパチンコ遊技機に本発明を提供してもよい。
・上記実施形態において、２つの大入賞口４０，４１を備えたが、これに限らず、１つ又は３つ以上の大入賞口を備えてもよい。
【０１８２】
・上記実施形態において、役物内球詰まりエラーを示す第１報知と、振動検知エラーを示す第２報知とを重複しないように実行させたが、これに限らず、例えば、重複させてもよい。
【０１８３】
・上記実施形態において、パチンコ遊技機１０に配設された報知手段と、パチンコ遊技機１０の外部に配設された報知手段とに対して、振動検知エラーと役物内球詰まりエラーに関する報知を行わせたが、これに限らず、例えば、何れか一方の報知手段であってもよい。
【０１８４】
・上記実施形態において、役物内球詰まりエラーを示す第１報知と、振動検知エラーを示す第２報知とを行ったが、これに限らず、例えば、直接的に示さなくてもよく、役物内球詰まりエラーに関する第１報知と、振動検知エラーに関する第２報知とを行うように構成してもよい。
【０１８５】
・上記実施形態において、役物内球詰まりエラーが検知されていない場合には、第２報知が行われなかったが、これに限らない。例えば、役物内球詰まりエラーが検知されていない場合であっても、各入賞口３７〜４１の少なくとも何れかに遊技球が入球又は通過したときには遊技が確実に行われており、その場合に、所定の強度以上の振動が検知されたことを条件として、第２報知が行われてもよい。具体的な一例としては、各入賞口３７〜４１の少なくとも何れかに遊技球が入球又は通過してから予め定められた時間以内に、所定の強度以上の振動が検知されたことを条件として、第２報知が行われる。その一方で、予め定められた時間を越えたときには、所定の強度以上の振動が検知されたか否かに拘わらず、第２報知が行われないように制御してもよい。つまり、パチンコ遊技を行っているか否かを検知することによって、パチンコ遊技機が行われていると検知されてから予め定められた時間以内に、所定の強度以上の振動が検知されたことを条件として、第２報知が行われてもよい。例えば、遊技領域から遊技球が排出されるアウト口にスイッチを設け、アウト口から排出された遊技球が検知されることで、パチンコ遊技を行っているか否かが検知可能である。また、例えば、遊技球の誘導路３０ａから遊技領域Ｈ１に発射される遊技球を検知する発射用スイッチを設け、遊技球の発射が検知されることで、パチンコ遊技を行っているか否かが検知可能である。また、例えば、発射ハンドル２４を操作することを検知するセンサや、人感センサを設けてもよい。
【０１８６】
・上記実施形態において、役物内球詰まりエラーが検知されたことを条件として、所定の強度以上の振動を検知すると、振動検知エラーであると判定したが、これに限らず、例えば、特定の電波や特定の磁力を検知すると、磁気エラー、誘導磁界検知エラーであると判定してもよい。もちろん、これらの組み合わせであってもよい。つまり、特定の電波、磁気、及び振動の少なくとも何れかを検知するような特定検知手段を備えていればよい。
【０１８７】
・上記実施形態において、第１変動ゲームにおいて大当り遊技が、第２変動ゲームにおいて大当り遊技及び小当り遊技がそれぞれ付与されるように構成したが、これに限らず、例えば、第１変動ゲームでも、小当り遊技が付与される構成であってもよい。
【０１８８】
・上記実施形態において、第１始動入賞口３７、第２始動入賞口３８、作動ゲート３９、第１大入賞口４０、第２大入賞口４１の各入賞口に本発明を採用したが、これに限らず、例えば、一般入賞口であってもよく、これらの組み合わせであっても少なくとも何れか一つであってもよい。もちろん、遊技領域内における領域を遊技球が入球又は通過する構成であればよく、例えば、発射している遊技球が左打ちであるか右打ちであるかを検知するセンサや、遊技球を発射していることを検知するセンサに対して本発明を採用してもよい。
【０１８９】
・上記実施形態において、第１保留記憶数、第２保留記憶数、及び普図保留記憶数の上限を「４」としたが、これに限らず、「１」〜「３」や「５」以上としてもよい。
・上記実施形態において、所謂１種２種混合機に本発明を採用したが、これに限らず、例えば、所謂、第１種のパチンコ遊技機、第２種のパチンコ遊技機、第３種のパチンコ遊技機のそれぞれに採用してもよい。第１種のパチンコ遊技機においては、上記実施形態における第１変動ゲームと同じ遊技性を第２変動ゲームにおいても行う。また、第３種のパチンコ遊技機においては、大当りに当選した場合に大当り遊技の権利が付与され、その後、特別の領域を通過することによって大当り遊技が開始される。
【０１９０】
・上記実施形態において、第１変動ゲームよりも第２変動ゲームを優先して実行させたが、これに限らず、例えば、入賞順序に従って変動ゲームを行ってもよい。また、例えば、第１変動ゲームと第２変動ゲームとで同時に実行させてもよい。
【０１９１】
・上記実施形態において、小当りに当選しないように制御してもよい。
・上記実施形態において、第１変動ゲーム、第２変動ゲームというように２種類の変動ゲームを実行可能としたが、これに限らず、例えば、１種類又は３種類以上の変動ゲームを実行可能としてもよい。
【０１９２】
次に、上記実施形態及び別例から把握できる技術的思想を以下に追記する。
（イ）前記報知制御手段は、前記報知手段に対して前記第２報知を行わせた場合には、前記第２判定手段の判定結果に拘わらず、予め定められた時間が経過するまで前記第２報知の実行を継続させる制御を行う請求項３に記載の遊技機。
【０１９３】
（ロ）前記第１報知と前記第２報知とは、異なる報知内容であり、前記報知制御手段は、前記報知手段に対して前記第１報知と前記第２報知とを重複させずに何れか一方を行わせる制御を行う請求項１〜請求項６、及び（イ）のうち何れか一項に記載の遊技機。
【０１９４】
（ハ）前記第２判定手段の判定結果のほうが前記第１判定手段の判定結果より優先順位が高くなるように前記第１判定手段の判定結果と前記第２判定手段の判定結果とに対して優先順位が記憶された優先順位記憶手段と、前記第１判定手段の判定結果と前記第２判定手段の判定結果との両方が肯定であるときには、判定結果の優先順位を判定する優先順位判定手段と、を備えた請求項１〜請求項６、（イ）、及び（ロ）の何れか一項に記載の遊技機。
【０１９５】
（ニ）前記入球装置は、遊技球が入球した場合に遊技者に有利な大当り遊技が付与される装置である請求項１〜請求項６、（イ）〜（ハ）のうち何れか一項に記載の遊技機。
（ホ）前記報知制御手段は、前記入球検知手段の検知結果に基づいて前記入球装置に遊技球が入球又は通過したことと、前記第２判定手段の判定結果が肯定であることとを条件として、前記報知手段に対して前記第２判定手段の判定結果に関する第２報知を行わせる制御を行う請求項１〜請求項６、（イ）〜（ハ）の何れか一項に記載の遊技機。
【符号の説明】
【０１９６】
Ｈ１…遊技領域、ＨＣ…ホールコンピュータ、ＳＥ１…磁気センサ、ＳＥ２…誘導磁界検知センサ、ＳＥ３…振動検知センサ、ＳＷ１…第１始動口スイッチ、ＳＷ２…第２始動口スイッチ、ＳＷ３…第１カウントスイッチ、ＳＷ４…第２カウントスイッチ、ＳＷ５…ゲートスイッチ、ＳＷ６…特定領域スイッチ、ＳＷ７…一般領域スイッチ、Ｔ…規定周期、ＴＬ…規定時間、ＹＢ…遊技盤、１０…パチンコ遊技機、１７…枠用ランプ部、２０…スピーカ、３３…演出表示装置、３７…第１始動入賞口、３８…第２始動入賞口、３８ｂ…開閉扉、３９…作動ゲート、４０…第１大入賞口、４０ａ…第１大入賞口扉、４１…第２大入賞口、４１ａ…第２大入賞口羽根、４３…特定領域、４５…開閉片、５３…外部端子板、５４…主制御基板、５４ａ…主制御用ＣＰＵ、７０…統括制御基板、７０ａ…統括制御用ＣＰＵ、７０ｂ…統括制御用ＲＯＭ。
【図１】
2014068729.tif 000003
【図２】
2014068729.tif 000004
【図３】
2014068729.tif 000005
【図４】
2014068729.tif 000006
【図５】
2014068729.tif 000007
【図６】
2014068729.tif 000008
【図７】
2014068729.tif 000009
【図８】
2014068729.tif 000010
【図９】
2014068729.tif 000011
【図１０】
2014068729.tif 000012
【図１１】
2014068729.tif 000013